(57)【特許請求の範囲】
【請求項１】
記録媒体に記録されている情報を読み出し、読み出した情報を再生する再生手段と、
前方向への再生位置のスキップ及び後方向への再生位置のスキップのうちいずれかの指示を任意に受け付けるスキップ操作受付手段と、
前記前方向への再生位置のスキップが最後に指示されてからの経過時間を計測する前方向スキップ操作経過時間計測手段と、
前記スキップ操作受付手段によって後方向への再生位置のスキップの指示が受け付けられた場合、前記前方向スキップ操作経過時間計測手段によって計測された経過時間が予め定められている所定時間を経過しているか否かを判断する後方向スキップ判断手段と、
前方向への再生位置のスキップ及び後方向への再生位置のスキップのうちの一方の方向のスキップ時間を他方の方向のスキップ時間よりも長くし、前記スキップ操作受付手段によって受け付けられた前方向への再生位置のスキップの指示及び後方向への再生位置のスキップの指示のうちいずれかに基づいてスキップ時間を決定するスキップ時間決定手段と、
前記再生手段における再生中に、前記スキップ操作受付手段によって前方向への再生位置のスキップ及び後方向への再生位置のスキップのうちいずれかの指示が受け付けられた場合、前記再生手段における再生を停止し、前記スキップ時間決定手段によって決定されたスキップ時間だけ、前記再生手段による記録媒体からの情報の読み出し位置を移動させ、読み出し位置の移動終了後に再生を再開させる制御手段とを備え、
前記スキップ時間決定手段は、前記後方向スキップ判断手段によって所定時間を経過していると判断された場合、所定の第１のスキップ時間に決定し、前記後方向スキップ判断手段によって所定時間を経過していないと判断された場合、前記第１のスキップ時間よりも短い第２のスキップ時間に決定することを特徴とする再生装置。
【請求項２】
前記制御手段は、前記再生手段における一時停止中に、前記スキップ操作受付手段によって前方向への再生位置のスキップ及び後方向への再生位置のスキップのうちいずれかの指示が受け付けられた場合、前記スキップ時間決定手段によって決定されたスキップ時間だけ、前記再生手段による記録媒体からの情報の読み出し位置を移動させ、移動後の読み出し位置の最初の情報のみを再生させることを特徴とする請求項１記載の再生装置。
【請求項３】
所定の第１のスキップ時間を予め記憶する第１のスキップ時間記憶手段と、
前記第１のスキップ時間よりも短い第２のスキップ時間を予め記憶する第２のスキップ時間記憶手段とをさらに備え、
前記スキップ時間決定手段は、
前記スキップ操作受付手段によって前記後方向への再生位置のスキップの指示が受け付けられ、前記前方向スキップ操作経過時間計測手段によって計測された前方向スキップ操作経過時間が、予め決められた所定時間を経過していた場合、後方向への再生位置のスキップ時間として前記第１のスキップ時間記憶手段に予め記憶されている第１のスキップ時間を選択し、
前記スキップ操作受付手段によって前記後方向への再生位置のスキップの指示が受け付けられ、前記前方向スキップ操作経過時間計測手段によって計測された前方向スキップ操作経過時間が、予め決められた所定時間を経過していない場合、後方向への再生位置のスキップ時間として前記第２のスキップ時間記憶手段に予め記憶されている第２のスキップ時間を選択することを特徴とする請求項１又は２記載の再生装置。
【請求項４】
前記後方向への再生位置のスキップが最後に指示されてからの経過時間を計測する後方向スキップ操作経過時間計測手段と、
前記スキップ操作受付手段によって前方向への再生位置のスキップの指示が受け付けられた場合、前記後方向スキップ操作経過時間計測手段によって計測された経過時間が予め定められている所定時間を経過しているか否かを判断する前方向スキップ判断手段とをさらに備え、
前記スキップ時間決定手段は、前記前方向スキップ判断手段によって所定時間を経過していると判断された場合、所定の第１のスキップ時間に決定し、前記前方向スキップ判断手段によって所定時間を経過していないと判断された場合、前記第１のスキップ時間よりも短い第２のスキップ時間に決定することを特徴とする請求項１又は２記載の再生装置。
【請求項５】
所定の第１のスキップ時間を予め記憶する第１のスキップ時間記憶手段と、
前記第１のスキップ時間よりも短い第２のスキップ時間を予め記憶する第２のスキップ時間記憶手段とをさらに備え、
前記スキップ時間決定手段は、
前記スキップ操作受付手段によって前記前方向への再生位置のスキップの指示が受け付けられ、前記後方向スキップ操作経過時間計測手段によって計測された後方向スキップ操作経過時間が、予め決められた所定時間を経過していた場合、前方向への再生位置のスキップ時間として前記第１のスキップ時間記憶手段に予め記憶されている第１のスキップ時間を選択し、
前記スキップ操作受付手段によって前記前方向への再生位置のスキップの指示が受け付けられ、前記後方向スキップ操作経過時間計測手段によって計測された後方向スキップ操作経過時間が、予め決められた所定時間を経過していない場合、前方向への再生位置のスキップ時間として前記第２のスキップ時間記憶手段に予め記憶されている第２のスキップ時間を選択することを特徴とする請求項４記載の再生装置。
【請求項６】
前回のスキップ操作完了時刻から次のスキップ操作開始時刻までの再生時間を計測する再生時間計測手段をさらに備え、
前記スキップ時間決定手段は、次のスキップ操作が前方向への再生位置のスキップである場合、前記第１のスキップ時間及び前記第２のスキップ時間のいずれかのスキップ時間から前記再生時間計測手段によって計測された再生時間を減算した時間をスキップ時間として決定することを特徴とする請求項１又は４記載の再生装置。
【請求項７】
前回のスキップ操作完了時刻から次のスキップ操作開始時刻までの再生時間を計測する再生時間計測手段をさらに備え、
前記スキップ時間決定手段は、次のスキップ操作が後方向への再生位置のスキップである場合、前記第１のスキップ時間及び前記第２のスキップ時間のいずれかのスキップ時間に前記再生時間計測手段によって計測された再生時間を加算した時間をスキップ時間として決定することを特徴とする請求項１又は４記載の再生装置。
【請求項８】
記録媒体に記録されている情報を読み出し、読み出した情報を再生する再生ステップと、
前方向への再生位置のスキップ及び後方向へのスキップのうちいずれかの指示を任意に受け付けるスキップ操作受付ステップと、
前記前方向への再生位置のスキップが最後に指示されてからの経過時間を計測する前方向スキップ操作経過時間計測ステップと、
前記スキップ操作受付ステップにおいて後方向への再生位置のスキップの指示が受け付けられた場合、前記前方向スキップ操作経過時間計測手段によって計測された経過時間が予め定められている所定時間を経過しているか否かを判断する後方向スキップ判断ステップと、
前方向への再生位置のスキップ及び後方向への再生位置のスキップのうちの一方の方向のスキップ時間を他方の方向のスキップ時間よりも長くし、前記スキップ操作受付ステップにおいて受け付けられた前方向への再生位置のスキップの指示及び後方向への再生位置のスキップの指示のうちいずれかに基づいてスキップ時間を決定するスキップ時間決定ステップと、
再生中に、前方向への再生位置のスキップ及び後方向への再生位置のスキップのうちいずれかの指示が受け付けられた場合、再生を停止し、前記スキップ時間決定ステップにおいて決定されたスキップ時間だけ、前記記録媒体からの情報の読み出し位置を移動させ、読み出し位置の移動終了後に再生を再開させる制御ステップとを含み、
前記スキップ時間決定ステップは、前記後方向スキップ判断ステップにおいて所定時間を経過していると判断された場合、所定の第１のスキップ時間に決定し、前記後方向スキップ判断手段によって所定時間を経過していないと判断された場合、前記第１のスキップ時間よりも短い第２のスキップ時間に決定することを特徴とする再生方法。
【請求項９】
記録媒体に記録されている情報を読み出し、読み出した情報を再生する再生手段と、
前方向への再生位置のスキップ及び後方向への再生位置のスキップのうちいずれかの指示を任意に受け付けるスキップ操作受付手段と、
前記前方向への再生位置のスキップが最後に指示されてからの経過時間を計測する前方向スキップ操作経過時間計測手段と、
前記スキップ操作受付手段によって後方向への再生位置のスキップの指示が受け付けられた場合、前記前方向スキップ操作経過時間計測手段によって計測された経過時間が予め定められている所定時間を経過しているか否かを判断する後方向スキップ判断手段と、
前方向への再生位置のスキップ及び後方向への再生位置のスキップのうちの一方の方向のスキップ時間を他方の方向のスキップ時間よりも長くし、前記スキップ操作受付手段によって受け付けられた前方向への再生位置のスキップの指示及び後方向への再生位置のスキップの指示のうちいずれかに基づいてスキップ時間を決定するスキップ時間決定手段と、
前記再生手段における再生中に、前記スキップ操作受付手段によって前方向への再生位置のスキップ及び後方向への再生位置のスキップのうちいずれかの指示が受け付けられた場合、前記再生手段における再生を停止し、前記スキップ時間決定手段によって決定されたスキップ時間だけ、前記再生手段による記録媒体からの情報の読み出し位置を移動させ、読み出し位置の移動終了後に再生を再開させる制御手段としてコンピュータを機能させ、
前記スキップ時間決定手段は、前記後方向スキップ判断手段によって所定時間を経過していると判断された場合、所定の第１のスキップ時間に決定し、前記後方向スキップ判断手段によって所定時間を経過していないと判断された場合、前記第１のスキップ時間よりも短い第２のスキップ時間に決定することを特徴とする再生プログラム。
【請求項１０】
記録媒体に記録されている情報を読み出し、読み出した情報を再生する再生手段と、
前方向への再生位置のスキップ及び後方向への再生位置のスキップのうちいずれかの指示を任意に受け付けるスキップ操作受付手段と、
前記前方向への再生位置のスキップが最後に指示されてからの経過時間を計測する前方向スキップ操作経過時間計測手段と、
前記スキップ操作受付手段によって後方向への再生位置のスキップの指示が受け付けられた場合、前記前方向スキップ操作経過時間計測手段によって計測された経過時間が予め定められている所定時間を経過しているか否かを判断する後方向スキップ判断手段と、
前方向への再生位置のスキップ及び後方向への再生位置のスキップのうちの一方の方向のスキップ時間を他方の方向のスキップ時間よりも長くし、前記スキップ操作受付手段によって受け付けられた前方向への再生位置のスキップの指示及び後方向への再生位置のスキップの指示のうちいずれかに基づいてスキップ時間を決定するスキップ時間決定手段と、
前記再生手段における再生中に、前記スキップ操作受付手段によって前方向への再生位置のスキップ及び後方向への再生位置のスキップのうちいずれかの指示が受け付けられた場合、前記再生手段における再生を停止し、前記スキップ時間決定手段によって決定されたスキップ時間だけ、前記再生手段による記録媒体からの情報の読み出し位置を移動させ、読み出し位置の移動終了後に再生を再開させる制御手段としてコンピュータを機能させ、
前記スキップ時間決定手段は、前記後方向スキップ判断手段によって所定時間を経過していると判断された場合、所定の第１のスキップ時間に決定し、前記後方向スキップ判断手段によって所定時間を経過していないと判断された場合、前記第１のスキップ時間よりも短い第２のスキップ時間に決定することを特徴とする再生プログラムを記録したコンピュータ読み取り可能な記録媒体。
【発明の詳細な説明】
【技術分野】
【０００１】
本発明は、記録媒体に記録された映像や音声を再生する再生装置、再生方法、再生プログラム及び再生プログラムを記録したコンピュータ読み取り可能な記録媒体に関するものである。
【背景技術】
【０００２】
従来、記録媒体に記録された映像や音声を再生する際に、視聴したくない部分を飛ばしたい場合や、視聴したい部分まで飛ばしたい場合に、視聴したくない部分をスキップさせたり、視聴したい部分までスキップさせたりする方法がよく用いられている。
【０００３】
この視聴したくない部分をスキップさせたり、視聴したい部分までスキップさせたりする方法として、操作スイッチを設けておき、再生中に操作スイッチを押すことにより、予め設定された時間だけ前方向もしくは後方向にスキップさせる方法がある（例えば、特許文献１）。
【０００４】
図１５を用いて、特許文献１における従来のスキップ処理の動作について具体的に説明する。図１５は、特許文献１における従来のスキップ処理の動作について説明するための図であり、図１５（ａ）は、記録媒体に記録された映像や音声の並びを示しており、図１５（ｂ）は、再生及びスキップの様子を表している。図１５（ａ）において、白い帯６０１，６０３は、記録媒体に記録された映像や音声のうち利用者が視聴したい部分を示しており、斜線の帯６０２は、記録媒体に記録された映像や音声のうち利用者が視聴したくない部分を示している。
【０００５】
また、図１５（ｂ）において、実線の右矢印６０４ａ，６０４ｂ，６０４ｃ，６０４ｄ，６０４ｅは再生処理を示しており、破線の右矢印６０５ａ，６０５ｂ，６０５ｃは前方向へのスキップ処理を示しており、破線の左矢印６０６ａは後方向へのスキップ処理を示している。
【０００６】
記録媒体に記録された映像や音声の並びを示す図１５（ａ）のうち視聴したくない部分６０２をスキップさせるための操作を例に、従来の再生装置におけるスキップ方法の動作について説明する。
【０００７】
記録媒体に記録された映像や音声が図１５（ｂ）の実線の右矢印６０４ａで示すように再生されている際に、タイミングＴ６０１で示す位置で利用者は、視聴したくない部分６０２に入ったことに気が付き、視聴したい部分までスキップさせるために前方向にスキップさせるための操作をする。これにより、破線の右矢印６０５ａで示すように予め設定されたスキップ時間Ｔｓだけスキップされ、タイミングＴ６０２で示す位置から実線の右矢印６０４ｂで示すように再生が再開される。
【０００８】
次に、タイミングＴ６０３で示す位置で利用者は、まだ視聴したくない部分６０２であることに気が付き、視聴したい部分までスキップさせるために前方向にスキップさせるための操作をする。これにより、破線の右矢印６０５ｂで示すように予め設定されたスキップ時間Ｔｓだけスキップされ、タイミングＴ６０４で示す位置から実線の右矢印６０４ｃで示すように再生が再開される。
【０００９】
次に、タイミングＴ６０５で示す位置で利用者は、まだ視聴したくない部分６０２であることに気が付き、視聴したい部分までスキップさせるために前方向にスキップさせるための操作をする。これにより、破線の右矢印６０５ｃで示すように予め設定されたスキップ時間Ｔｓだけスキップされ、タイミングＴ６０８で示す位置から実線の右矢印６０４ｄで示すように再生が再開される。
【００１０】
次に、タイミングＴ６０９で示す位置で利用者は、視聴したい部分６０３までスキップされたことに気が付き、タイミングＴ６０７で示される視聴したい部分６０３の先頭から視聴するために、後方向にスキップさせるための操作をする。これにより、破線の左矢印６０６ａで示すように予め設定されたスキップ時間Ｔｓだけスキップされ、タイミングＴ６０６で示す位置から実線の右矢印６０４ｅで示すように再生が再開される。
【００１１】
このとき利用者は、再生状態のままで視聴したい部分６０３の先頭まで（タイミングＴ６０６からタイミングＴ６０７で示される期間Ｔｗ８）再生されるのを待ち、視聴したい部分６０３の視聴を行う。このようにして、特許文献１における従来のスキップ処理を用いて視聴したくない部分をスキップさせたり、視聴したい部分までスキップさせたりすることができる。
【特許文献１】特開平９−１４７５３４号公報
【発明の開示】
【発明が解決しようとする課題】
【００１２】
しかしながら、従来のスキップ処理では、前方向及び後方向にスキップするための操作を行った場合にスキップされる時間が、前方向と後方向とで同一の時間となっている。そのため、利用者は、視聴したくない部分をスキップするために、前方向にスキップさせる操作を繰り返し行った後に、視聴したい部分の先頭から視聴するために、後方向にスキップさせるための操作を行う。このとき、後方向へ必要以上の時間スキップされるため、利用者は視聴したい部分の先頭が再生されるまで長い時間待たなければならないという課題があった。
【００１３】
この課題を回避するために、スキップするための操作を行った場合にスキップされる時間を短く設定することにより、視聴したい部分の先頭が再生されるまでの待ち時間を短くすることができる。しかしながら、スキップする時間を短く設定した場合、視聴したくない部分をスキップさせるために必要なスキップ操作の回数が増えてしまうという、新たな課題が発生することになる。
【００１４】
本発明は、前記従来の課題を解決するもので、視聴したい部分の先頭が再生されるまでの待ち時間を短縮することができ、利用者の操作性を向上させることができる再生装置、再生方法、再生プログラム及び再生プログラムを記録したコンピュータ読み取り可能な記録媒体を提供することを目的とする。
【課題を解決するための手段】
【００１５】
本発明に係る再生装置は、記録媒体に記録されている情報を読み出し、読み出した情報を再生する再生手段と、前方向への再生位置のスキップ及び後方向への再生位置のスキップのうちいずれかの指示を任意に受け付けるスキップ操作受付手段と、前方向への再生位置のスキップ及び後方向への再生位置のスキップのうちの一方の方向のスキップ時間を他方の方向のスキップ時間よりも長くし、前記スキップ操作受付手段によって受け付けられた前方向への再生位置のスキップの指示及び後方向への再生位置のスキップの指示のうちいずれかに基づいてスキップ時間を決定するスキップ時間決定手段と、前記再生手段における再生中に、前記スキップ操作受付手段によって前方向への再生位置のスキップ及び後方向への再生位置のスキップのうちいずれかの指示が受け付けられた場合、前記再生手段における再生を停止し、前記スキップ時間決定手段によって決定されたスキップ時間だけ、前記再生手段による記録媒体からの情報の読み出し位置を移動させ、読み出し位置の移動終了後に再生を再開させる制御手段とを備える。
【００１６】
この構成によれば、記録媒体に記録されている情報が読み出され、読み出された情報が再生される。そして、前方向への再生位置のスキップ及び後方向への再生位置のスキップのうちいずれかの指示が任意に受け付けられる。前方向への再生位置のスキップ及び後方向への再生位置のスキップのうちの一方の方向のスキップ時間を他方の方向のスキップ時間よりも長くし、受け付けられた前方向への再生位置のスキップの指示及び後方向への再生位置のスキップの指示のうちいずれかに基づいてスキップ時間が決定される。再生中に、前方向への再生位置のスキップ及び後方向への再生位置のスキップのうちいずれかの指示が受け付けられた場合、再生を停止し、決定されたスキップ時間だけ、記録媒体からの情報の読み出し位置を移動させ、読み出し位置の移動終了後に再生を再開させる。
【００１７】
このように、受け付けられたスキップが前方向であるか後方向であるかに基づいてスキップ時間が決定され、前方向への再生位置のスキップ及び後方向への再生位置のスキップのうちの一方の方向のスキップ時間が他方の方向のスキップ時間よりも長くされる。
【発明の効果】
【００１８】
本発明によれば、前方向のスキップ時間を後方向のスキップ時間よりも長くし、利用者が視聴したくない部分をスキップするために前方向へのスキップを繰り返し指示した後に、視聴したい部分の先頭から視聴するために、後方向へのスキップを行う場合、後方向へのスキップ時間が前方向へのスキップ時間よりも短いスキップ時間に決定されるので、利用者が視聴したい部分の先頭が再生されるまで待つ時間を短縮することができ、利用者の操作性を向上させることができる。
【発明を実施するための最良の形態】
【００１９】
本発明の目的、特徴及び利点は、以下の詳細な説明と添付図面とによって、より明白となる。
【００２０】
以下、本発明の実施の形態に係る再生装置ついて図面を参照しながら説明する。
【００２１】
（実施の形態１）
図１は、本発明の実施の形態１におけるＤＶＤプレーヤの構成の一例を示すブロック図である。以下に、再生処理時の動作について説明する。
【００２２】
図１に示すＤＶＤプレーヤは、再生装置の一例であり、コントローラ１０、再生操作部２０、メモリ３０、読み出し制御部４０、ＤＶＤドライブ５０、デコード部６０及び表示部７０を備えて構成される。
【００２３】
コントローラ１０は、ＤＶＤディスクに記録された情報（例えば、映像及び音声）を再生するための制御を行うためのもので、メモリ３０を利用してＤＶＤディスクに記録された情報を再生するための制御を行う。コントローラ１０は、再生操作部２０からの指示に従い、読み出し制御部４０を制御する。読み出し制御部４０は、コントローラ１０からの制御に従い、ＤＶＤドライブ５０からストリームを読み出し、ＤＶＤドライブ５０から読み出したストリームをデコード部６０に出力する。デコード部６０は、読み出し制御部４０から入力されたストリームをデコードし、デコードした情報を表示部７０に出力する。表示部７０はデコード部６０から入力されたデコードされた情報を表示する。
【００２４】
図２は、図１に示すＤＶＤプレーヤの詳細な構成を示すブロック図である。再生操作部２０は、前方向スキップ操作部２１及び後方向スキップ操作部２２を備える。前方向スキップ操作部２１は、使用者による前方向への再生位置のスキップの指示を受け付ける。後方向スキップ操作部２２は、使用者による後方向への再生位置のスキップの指示を受け付ける。メモリ３０は、前方向スキップ時間記憶部３１及び後方向スキップ時間記憶部３２を備える。前方向スキップ時間記憶部３１は、前方向にスキップする際の前方向スキップ時間Ｔｆｓを予め記憶し、後方向スキップ時間記憶部３２は、後方向にスキップする際の後方向スキップ時間Ｔｂｓを予め記憶する。後方向スキップ時間Ｔｂｓは前方向スキップ時間Ｔｆｓより小さな値となっている。
【００２５】
コントローラ１０は、スキップ時間決定部１１及び再生制御部１２を備える。スキップ時間決定部１１は、前方向スキップ操作部２１によって受け付けられた前方向への再生位置のスキップの指示、及び後方向スキップ操作部２２によって受け付けられた後方向への再生位置のスキップの指示のうちいずれかに基づいてスキップ時間を決定する。
【００２６】
再生制御部１２は、読み出し制御部４０による再生中に、前方向スキップ操作部２１によって前方向への再生位置のスキップ及び後方向スキップ操作部２２によって後方向への再生位置のスキップのうちいずれかの指示が受け付けられた場合、読み出し制御部４０による再生を停止し、スキップ時間決定部１１によって決定されたスキップ時間だけ、読み出し制御部４０による記録媒体からの情報の読み出し位置を移動させ、読み出し位置の移動終了後に再生を再開させる。
【００２７】
なお、本実施の形態において、読み出し制御部４０が再生手段の一例に相当し、前方向スキップ操作部２１及び後方向スキップ操作部２２がスキップ操作受付手段の一例に相当し、スキップ時間決定部１１がスキップ時間決定手段の一例に相当し、再生制御部１２が制御手段の一例に相当し、前方向スキップ時間記憶部３１が前方向スキップ時間記憶手段の一例に相当し、後方向スキップ時間記憶部３２が後方向スキップ時間記憶手段の一例に相当する。
【００２８】
以下、実施の形態１において、再生中に前方向スキップ操作部２１又は後方向スキップ操作部２２が操作された場合の動作について説明する。
【００２９】
スキップ時間決定部１１は、前方向スキップ操作部２１から指示があった場合、前方向スキップ時間記憶部３１から前方向スキップ時間Ｔｆｓを取り出す。そして、再生制御部１２は、前方向スキップ時間記憶部３１から取り出した前方向スキップ時間Ｔｆｓだけ前方向に読み出し位置を移動するように読み出し制御部４０に対して指示する。
【００３０】
また、スキップ時間決定部１１は、後方向スキップ操作部２２から指示があった場合、後方向スキップ時間記憶部３２から後方向スキップ時間Ｔｂｓを取り出す。そして、再生制御部１２は、後方向スキップ時間記憶部３２から取り出した後方向スキップ時間Ｔｂｓだけ後方向に読み出し位置を移動するように読み出し制御部４０に対して指示する。
【００３１】
図３は、図１及び図２で示す実施の形態１におけるＤＶＤプレーヤのコントローラ１０の処理内容を説明するためのフローチャートであり、ステップＳ１からステップＳ１１までの処理で構成されている。以下に再生中に前方向スキップ操作部２１又は後方向スキップ操作部２２が操作された場合の操作状態と処理内容について説明する。
【００３２】
まず、ステップＳ１において、再生制御部１２は、記録媒体であるＤＶＤディスクに記録された情報を再生する再生操作が指示されたか否かを判断する。再生操作部２０は、利用者による再生操作を受け付け、再生操作が受け付けられた場合、再生指示を再生制御部１２へ出力する。ここで、再生操作が指示されていないと判断された場合（ステップＳ１でＮＯ）、再生操作が指示されるまで待機状態となる。
【００３３】
一方、再生操作が指示されたと判断された場合（ステップＳ１でＹＥＳ）、ステップＳ２において、再生制御部１２は、再生指示が再生操作部２０から入力されると、利用者によって指定された再生位置から情報を読み出すように読み出し制御部４０へ指示する。読み出し制御部４０は、利用者によって指定された情報の再生位置に対応するＤＶＤディスクの読み出し位置を求め、求めた読み出し位置から情報を読み出すようＤＶＤドライブ５０を制御する。ＤＶＤドライブ５０は、内蔵するアクチュエータを駆動し、光ピックアップを読み出し位置まで移動させ、ＤＶＤディスクに記録されているストリームを読み出し、読み出し制御部４０へ出力する。読み出し制御部４０は、ＤＶＤドライブ５０から出力されたストリームをデコード部６０へ出力する。デコード部６０は、読み出し制御部４０から出力されたストリームをデコードし、デコードした情報を表示部７０へ出力する。表示部７０は、デコード部６０によってデコードされた情報を表示する。
【００３４】
次に、ステップＳ３において、再生制御部１２は、スキップ操作の有無を判断する。前方向スキップ操作部２１は、利用者による前方向への再生位置のスキップ操作を受け付け、前方向へのスキップ操作が受け付けられた場合、前方向へのスキップ指示を再生制御部１２へ出力する。また、後方向スキップ操作部２２は、利用者による後方向への再生位置のスキップ操作を受け付け、後方向へのスキップ操作が受け付けられた場合、後方向へのスキップ指示を再生制御部１２へ出力する。なお、ステップＳ３における処理は、再生中に度々実行される。
【００３５】
前方向及び後方向へのスキップ操作が指示されていないと判断された場合（ステップＳ３でＮＯ）、ステップＳ４において、再生制御部１２は、現在再生されている情報を停止する停止操作が指示されたか否かを判断する。再生操作部２０は、利用者による停止操作を受け付け、停止操作が受け付けられた場合、停止指示を再生制御部１２へ出力する。ここで、停止操作が指示されていないと判断された場合（ステップＳ４でＮＯ）、ステップＳ２の処理へ戻り、ＤＶＤディスクから読み出された情報が継続して再生される。
【００３６】
一方、停止操作が指示されたと判断された場合（ステップＳ４でＹＥＳ）、ステップＳ５において、再生制御部１２は、情報の読み出しを停止するように読み出し制御部４０へ指示する。読み出し制御部４０は、停止指示が再生制御部１２から入力されると、情報の読み出しを停止するようＤＶＤドライブ５０を制御する。
【００３７】
前方向又は後方向へのスキップ操作が指示されたと判断された場合（ステップＳ３でＹＥＳ）、ステップＳ６において、再生制御部１２は、情報の読み出しを停止するように読み出し制御部４０に指示する。読み出し制御部４０は、停止指示が再生制御部１２から入力されると、情報の読み出しを停止するようＤＶＤドライブ５０を制御する。
【００３８】
次に、ステップＳ７において、再生制御部１２は、前方向へのスキップ操作が受け付けられたか否かを判断する。前方向へのスキップ操作が受け付けられたと判断された場合（ステップＳ７でＹＥＳ）、ステップＳ８において、スキップ時間決定部１１は、前方向への再生位置のスキップ時間を決定する。具体的に、スキップ時間決定部１１は、前方向スキップ時間記憶部３１に予め記憶されている前方向スキップ時間Ｔｆｓを読み出す。なお、本実施の形態における前方向スキップ時間Ｔｆｓは、例えば１５秒に設定されている。
【００３９】
次に、ステップＳ９において、再生制御部１２は、前方向スキップ時間記憶部３１から読み出された前方向スキップ時間Ｔｆｓだけ読み出し位置を前方向に移動するように読み出し制御部４０に対して指示する。読み出し制御部４０は、現在の再生位置から前方向スキップ時間Ｔｆｓだけ前方向に移動した再生位置に対応する読み出し位置を求め、求めた読み出し位置へ光ピックアップを移動させるようにＤＶＤドライブ５０へ指示する。ＤＶＤドライブ５０は、アクチュエータを駆動し、光ピックアップの読み出し位置を現在の読み出し位置から前方向スキップ時間Ｔｆｓ分だけ移動させる。そして、読み出し位置の移動終了後、ステップＳ２の処理へ戻り、再生を再開する。
【００４０】
一方、前方向へのスキップ操作が受け付けられていない、すなわち、後方向へのスキップ操作が受け付けられたと判断された場合（ステップＳ７でＮＯ）、ステップＳ１０において、スキップ時間決定部１１は、後方向への再生位置のスキップ時間を決定する。具体的に、スキップ時間決定部１１は、後方向スキップ時間記憶部３２に予め記憶されている後方向スキップ時間Ｔｂｓを読み出す。なお、本実施の形態における後方向スキップ時間Ｔｂｓは、例えば５秒に設定されている。
【００４１】
次に、ステップＳ１１において、再生制御部１２は、後方向スキップ時間記憶部３２から読み出された後方向スキップ時間Ｔｂｓだけ読み出し位置を後方向に移動するように読み出し制御部４０に対して指示する。読み出し制御部４０は、現在の再生位置から後方向スキップ時間Ｔｂｓだけ後方向に移動した再生位置に対応する読み出し位置を求め、求めた読み出し位置へ光ピックアップを移動させるようにＤＶＤドライブ５０へ指示する。ＤＶＤドライブ５０は、アクチュエータを駆動し、光ピックアップの読み出し位置を現在の読み出し位置から後方向スキップ時間Ｔｂｓ分だけ移動させる。そして、読み出し位置の移動終了後、ステップＳ２の処理へ戻り、再生を再開する。
【００４２】
このように、受け付けられたスキップが前方向であるか後方向であるかに基づいてスキップ時間が決定され、前方向への再生位置のスキップ及び後方向への再生位置のスキップのうちの一方の方向のスキップ時間が他方の方向のスキップ時間よりも長くされる。したがって、前方向のスキップ時間を後方向のスキップ時間よりも長くし、利用者が視聴したくない部分をスキップするために前方向へのスキップを繰り返し指示した後に、視聴したい部分の先頭から視聴するために、後方向へのスキップを行う場合、後方向へのスキップ時間が前方向へのスキップ時間よりも短いスキップ時間に決定されるので、利用者が視聴したい部分の先頭が再生されるまで待つ時間を短縮することができ、利用者の操作性を向上させることができる。
【００４３】
また、前方向への再生位置のスキップ時間が予め記憶されているとともに、後方向への再生位置のスキップ時間が予め記憶されている。そして、前方向へのスキップの指示が受け付けられた場合、予め記憶されている前方向への再生位置のスキップ時間が選択され、後方向への再生位置のスキップの指示が受け付けられた場合、予め記憶されている後方向への再生位置のスキップ時間が選択される。したがって、予め記憶されているスキップ時間が選択されるので、前方向及び後方向への再生位置のスキップ操作に対応するスキップ時間を容易に決定することができる。
【００４４】
さらに、後方向への再生位置のスキップ時間より大きな値となる前方向への再生位置のスキップ時間が予め記憶されているので、利用者が視聴したくない部分をスキップするために前方向へのスキップを繰り返し指示した後に、視聴したい部分の先頭から視聴するために、後方向へのスキップを行う場合、後方向へのスキップ時間が前方向へのスキップ時間よりも短いスキップ時間に決定され、利用者が視聴したい部分の先頭が再生されるまで待つ時間を短縮することができる。
【００４５】
図４は、本発明の実施の形態１におけるＤＶＤプレーヤの動作について説明するための図であり、図４（ａ）は、ＤＶＤドライブ５０にセットされたＤＶＤディスクに記録された映像や音声の並びを示す図であり、図４（ｂ）は、再生及びスキップの様子を表す図である。図４（ａ）において、白い帯１０１，１０３はＤＶＤディスクに記録された映像や音声のうち利用者が視聴したい部分を示しており、斜線の帯１０２はＤＶＤディスクに記録された映像や音声のうち利用者が視聴したくない部分を示している。
【００４６】
また、図４（ｂ）において、実線の右矢印１０４ａ，１０４ｂ，１０４ｃ，１０４ｄ，１０４ｅは再生処理を示しており、破線の右矢印１０５ａ，１０５ｂ，１０５ｃは前方向へのスキップ処理を示しており、破線の左矢印１０６ａは後方向へのスキップ処理を示している。ＤＶＤディスクに記録された映像や音声のうち視聴したくない部分１０２をスキップさせるための操作を例に、本発明の実施の形態１におけるＤＶＤプレーヤの動作について説明する。
【００４７】
ＤＶＤディスクに記録された映像や音声が実線の右矢印１０４ａで示すように再生されている際、タイミングＴ１０１で示す位置で利用者は、視聴したくない部分１０２に入ったことに気が付き、視聴したい部分までスキップさせるために、前方向スキップ操作部２１を操作する。これにより、破線の右矢印１０５ａで示すように前方向スキップ時間記憶部３１に記憶されている前方向スキップ時間Ｔｆｓだけスキップされ、タイミングＴ１０２で示す位置から実線の右矢印１０４ｂで示すように再生が再開される。
【００４８】
次に、タイミングＴ１０３で示す位置で利用者は、まだ視聴したくない部分１０２であることに気が付き、視聴したい部分までスキップさせるために、前方向スキップ操作部２１をさらに操作する。これにより、破線の右矢印１０５ｂで示すように前方向スキップ時間記憶部３１に記憶されている前方向スキップ時間Ｔｆｓだけスキップされ、タイミングＴ１０４で示す位置から実線の右矢印１０４ｃで示すように再生が再開される。
【００４９】
次に、タイミングＴ１０５で示す位置で利用者は、まだ視聴したくない部分１０２であることに気が付き、視聴したい部分までスキップさせるために、前方向スキップ操作部２１をさらに操作する。これにより、破線の右矢印１０５ｃで示すように前方向スキップ時間記憶部３１に記憶されている前方向スキップ時間Ｔｆｓだけスキップされ、タイミングＴ１０８で示す位置から実線の右矢印１０４ｄで示すように再生が再開される。
【００５０】
次に、タイミングＴ１０９で示す位置で利用者は、視聴したい部分１０３までスキップされたことに気が付き、タイミングＴ１０７で示される視聴したい部分１０３の先頭から視聴するために、後方向スキップ操作部２２を操作する。これにより、破線の左矢印１０６ａで示すように後方向スキップ時間記憶部３２に記憶されている後方向スキップ時間Ｔｂｓだけスキップされ、タイミングＴ１０６で示す位置から実線の右矢印１０４ｅで示すように再生が再開される。利用者は、再生状態のままタイミングＴ１０６からタイミングＴ１０７で示される視聴したい部分１０３の先頭までの期間Ｔｗ４だけ再生されるのを待ち、視聴したい部分１０３の視聴を行う。
【００５１】
図５は、視聴したくない部分の長さが図４よりも幾分短い場合の本発明の実施の形態１におけるＤＶＤプレーヤの動作について説明するための図であり、図５（ａ）は、ＤＶＤドライブ５０にセットされたＤＶＤディスクに記録された映像や音声の並びを示す図であり、図５（ｂ）は、再生及びスキップの様子を表す図である。図５（ａ）において、白い帯２０１，２０３はＤＶＤディスクに記録された映像や音声のうち利用者が視聴したい部分を示しており、斜線の帯２０２はＤＶＤディスクに記録された映像や音声のうち利用者が視聴したくない部分を示している。
【００５２】
また、図５（ｂ）において、実線の右矢印２０４ａ，２０４ｂ，２０４ｃ，２０４ｄ，２０４ｅ，２０４ｆは再生処理を示しており、破線の右矢印２０５ａ，２０５ｂ，２０５ｃは前方向へのスキップ処理を示しており、破線の左矢印２０６ａ，２０６ｂは後方向へのスキップ処理を示している。ＤＶＤディスクに記録された映像や音声のうち視聴したくない部分２０２をスキップさせるための操作を例に、本発明の実施の形態１におけるＤＶＤプレーヤの動作について説明する。
【００５３】
なお、図５において、２回の前方向スキップ操作によりタイミングＴ２０４で示す位置から実線の右矢印２０４ｃで示すように再生が再開されるところまでは、図４の説明と同じ動作であるため説明を省き、これ以降の動作について説明する。
【００５４】
タイミングＴ２０５で示す位置で利用者は、まだ視聴したくない部分２０２であることに気が付き、視聴したい部分までスキップさせるために、前方向スキップ操作部２１を操作する。これにより、破線の右矢印２０５ｃで示すように前方向スキップ時間記憶部３１に記憶されている前方向スキップ時間Ｔｆｓだけスキップされ、タイミングＴ２１０で示す位置から実線の右矢印２０４ｄで示すように再生が再開される。
【００５５】
次に、タイミングＴ２１１で示す位置で利用者は、視聴したい部分２０３までスキップされたことに気が付き、タイミングＴ２０７で示される視聴したい部分２０３の先頭から視聴するために、後方向スキップ操作部２２を操作する。これにより、破線の左矢印２０６ａで示すように後方向スキップ時間記憶部３２に記憶されている後方向スキップ時間Ｔｂｓだけスキップされ、タイミングＴ２０８で示す位置から実線の右矢印２０４ｅで示すように再生が再開される。
【００５６】
次に、タイミングＴ２０９で示す位置で利用者は、視聴したい部分２０３の先頭まで戻っていないことに気が付き、タイミングＴ２０７で示される視聴したい部分２０３の先頭から視聴するために、後方向スキップ操作部２２をさらに操作する。これにより、破線の左矢印２０６ｂで示すように後方向スキップ時間記憶部３２に記憶されている後方向スキップ時間Ｔｂｓだけスキップされ、タイミングＴ２０６で示す位置から実線の右矢印２０４ｆで示すように再生が再開される。利用者は、再生状態のままタイミングＴ２０６からタイミングＴ２０７で示される視聴したい部分２０３の先頭までの期間Ｔｗ５だけ再生されるのを待ち、視聴したい部分２０３の視聴を行う。
【００５７】
以上のように、本実施の形態によると、利用者が、前方向のスキップにより視聴したくない部分をスキップした後、視聴したい部分の先頭から視聴するために後方向へのスキップを指示すると、後方向スキップ時間Ｔｂｓが前方向スキップ時間Ｔｆｓより小さな値となっているため、前方向へスキップさせる場合よりも短いスキップ時間だけ後方向へスキップされるので、視聴したい部分の先頭が再生されるまで待つ時間を短縮することができる。
【００５８】
なお、以上の説明は本発明をＤＶＤプレーヤに適応した場合を例に説明をしたが、ＤＶＤディスク以外の記憶媒体から情報を読み出し、これを表示することができるシステムでも同様に実施可能である。例えば、光学的にディジタル情報を読み出すことが可能なＤＶＤディスク以外に、ＣＤ、ＭＤ、ＳＤメモリカードなどにも適用可能であり、さらにアナログ情報を読み出すことが可能な磁気テープにも適用可能である。
【００５９】
また、再生操作部２０は、前方向スキップ操作部２１と後方向スキップ操作部２２とで構成されるのではなく、操作の方法で、前方向のスキップであるか後方向のスキップであるかを区別するようにしてもよい。例えば、再生操作部２０は、レバーを右に倒すと前方向のスキップであると判断し、左に倒すと後方向のスキップであると判断するように構成してもよい。
【００６０】
さらに、前方向スキップ時間Ｔｆｓ及び後方向スキップ時間Ｔｂｓは固定の値ではなく、可変とし使用者が設定できる構成としてもよい。また、本実施の形態では、後方向スキップ時間Ｔｂｓが前方向スキップ時間Ｔｆｓよりも小さい値となるように設定されているが、本発明は特にこれに限定されず、前方向スキップ時間Ｔｆｓが後方向スキップ時間Ｔｂｓよりも小さい値となるように設定してもよい。
【００６１】
この場合、前方向への再生位置のスキップ時間Ｔｆｓより大きな値となる後方向への再生位置のスキップ時間Ｔｂｓが予め記憶されているので、利用者が視聴したくない部分をスキップするために後方向へのスキップを繰り返し指示した後に、視聴したい部分の先頭から視聴するために、前方向へのスキップを行う場合、前方向へのスキップ時間Ｔｆｓが後方向へのスキップ時間Ｔｂｓよりも短いスキップ時間に決定される。したがって、後方向へのスキップを繰り返した後、前方向へのスキップが指示されたとしても、利用者が視聴したい部分の先頭を通り過ぎて再生されることが無く、利用者が視聴したい部分の先頭の頭出しを容易に行うことができる。
【００６２】
さらにまた、本実施の形態では、再生中に、前方向への再生位置のスキップ及び後方向への再生位置のスキップのうちいずれかの指示が受け付けられた場合、再生を停止し、スキップ時間決定部１１によって決定されたスキップ時間だけ、記録媒体（ＤＶＤディスク）からの情報の読み出し位置を移動させ、読み出し位置の移動終了後に再生を再開させるとしているが、本発明は特にこれに限定されない。本実施の形態では、一時停止中に、前方向への再生位置のスキップ及び後方向への再生位置のスキップのうちいずれかの指示が受け付けられた場合、スキップ時間決定部１１によって決定されたスキップ時間だけ、記録媒体（ＤＶＤディスク）からの情報の読み出し位置を移動させ、移動後の読み出し位置の最初の情報のみを再生させてもよい。
【００６３】
このように、一時停止中に、前方向への再生位置のスキップ及び後方向への再生位置のスキップのうちいずれかの指示が受け付けられた場合、決定されたスキップ時間だけ、記録媒体からの情報の読み出し位置を移動させ、移動後の読み出し位置の最初の情報のみを再生させる。したがって、利用者は、一時停止中に表示される映像を確認しながら再生位置をスキップする操作を行うことができ、スキップ操作後の再生位置の確認のために要する再生時間を不要とすることができる。
【００６４】
また、本実施の形態では、前方向スキップ時間Ｔｆｓが例えば１５秒に設定されており、後方向スキップ時間Ｔｂｓが例えば５秒に設定されているとしているが、本発明は特にこれに限定されず、利用者が視聴したい部分であるか否かを確認するために必要な操作遅延時間を考慮して、前方向スキップ時間Ｔｆｓを例えば１４秒に設定し、後方向スキップ時間Ｔｂｓを例えば６秒に設定してもよい。
【００６５】
なお、本実施の形態における構成要素は、コンピュータ上でプログラムを稼動させることにより、実現してもよく、当該プログラムは記録媒体に記録する構成としてもよい。
【００６６】
（実施の形態２）
次に、本発明の実施の形態２について説明する。実施の形態１では、後方向スキップ時間Ｔｂｓを前方向スキップ時間Ｔｆｓより小さな値に設定している。これに対し、実施の形態２では、前方向スキップ操作部２１又は後方向スキップ操作部２２によって受け付けられたスキップ操作よりも以前の操作内容に応じてスキップ時間を選択するようにする。
【００６７】
図６は、本発明の実施の形態２におけるＤＶＤプレーヤの詳細な構成を示すブロック図である。図６に図示されていない他の構成要素は実施の形態１と同様である。また、図６において、実施の形態１と同じ構成要素については同一の符号を付し、説明を省略する。メモリ３０は、通常スキップ時間記憶部３３、調整スキップ時間記憶部３４、前方向スキップ経過時間記憶部３５及び後方向スキップ経過時間記憶部３６を備える。
【００６８】
通常スキップ時間記憶部３３は、前方向スキップ操作部２１もしくは後方向スキップ操作部２２が操作されたとき、前回当該操作とは反対方向のスキップ操作が行われてから所定時間経過していた場合にスキップする通常スキップ時間Ｔｎｓを記憶する。調整スキップ時間記憶部３４は、前方向スキップ操作部２１もしくは後方向スキップ操作部２２が操作されたとき、前回当該操作とは反対方向のスキップ操作が行われてから所定時間経過していなかった場合にスキップする調整スキップ時間Ｔａｓを記憶する。調整スキップ時間Ｔａｓは通常スキップ時間Ｔｎｓより小さな値となっている。
【００６９】
前方向スキップ経過時間記憶部３５は、最後に前方向スキップ操作部２１が操作されてからの経過時間である前方向スキップ経過時間を記憶する。後方向スキップ経過時間記憶部３６は、最後に後方向スキップ操作部２２が操作されてからの経過時間である後方向スキップ経過時間を記憶する。前方向スキップ経過時間及び後方向スキップ経過時間は、時間が経過することにより前方向スキップ経過時間計測部１３及び後方向スキップ経過時間計測部１４によって自動的に更新される。
【００７０】
コントローラ１０は、スキップ時間決定部１１、再生制御部１２、前方向スキップ経過時間計測部１３、後方向スキップ経過時間計測部１４及び経過時間判断部１５を備える。
【００７１】
前方向スキップ経過時間計測部１３は、前方向スキップ操作部２１によって前方向への再生位置のスキップが最後に指示されてからの経過時間を計測し、計測した経過時間を用いて前方向スキップ経過時間記憶部３５に記憶されている前方向スキップ経過時間を更新する。
【００７２】
後方向スキップ経過時間計測部１４は、後方向スキップ操作部２２によって後方向への再生位置のスキップが最後に指示されてからの経過時間を計測し、計測した経過時間を用いて後方向スキップ経過時間記憶部３６に記憶されている後方向スキップ経過時間を更新する。
【００７３】
経過時間判断部１５は、前方向スキップ操作部２１によって前方向への再生位置のスキップの指示が受け付けられた場合、後方向スキップ経過時間計測部１４によって計測された経過時間が予め定められている所定時間を経過しているか否かを判断し、後方向スキップ操作部２２によって後方向への再生位置のスキップの指示が受け付けられた場合、前方向スキップ経過時間計測部１３によって計測された経過時間が予め定められている所定時間を経過しているか否かを判断する。なお、所定時間は、メモリ３０内の所定の領域に予め記憶されている。
【００７４】
スキップ時間決定部１１は、経過時間判断部１５によって所定時間を経過していると判断された場合、スキップ時間を通常スキップ時間Ｔｎｓに決定し、経過時間判断部１５によって所定時間を経過していないと判断された場合、スキップ時間を通常スキップ時間Ｔｎｓよりも短い調整スキップ時間Ｔａｓに決定する。
【００７５】
なお、本実施の形態において、前方向スキップ経過時間計測部１３が前方向スキップ操作経過時間計測手段の一例に相当し、後方向スキップ経過時間計測部１４が後方向スキップ操作経過時間計測手段の一例に相当し、経過時間判断部１５が後方向スキップ判断手段、前方向スキップ判断手段及び判断手段の一例に相当し、通常スキップ時間記憶部３３が第１のスキップ時間記憶手段の一例に相当し、調整スキップ時間記憶部３４が第２のスキップ時間記憶手段の一例に相当する。
【００７６】
以下、実施の形態２において、再生中に前方向スキップ操作部２１又は後方向スキップ操作部２２が操作された場合の動作について説明する。
【００７７】
経過時間判断部１５は、前方向スキップ操作部２１から指示があった場合、後方向スキップ経過時間記憶部３６から後方向スキップ経過時間を取り出し、所定時間以上経過しているか否かを判断する。所定時間以上経過していた場合、スキップ時間決定部１１は、通常スキップ時間記憶部３３から通常スキップ時間Ｔｎｓを取り出す。そして、再生制御部１２は、通常スキップ時間Ｔｎｓだけ前方向に読み出し位置を移動するように読み出し制御部４０に対して指示する。
【００７８】
一方、所定時間以上経過していなかった場合、スキップ時間決定部１１は、調整スキップ時間記憶部３４から調整スキップ時間Ｔａｓを取り出す。そして、再生制御部１２は、調整スキップ時間Ｔａｓだけ前方向に読み出し位置を移動するように読み出し制御部４０に対して指示する。
【００７９】
また、経過時間判断部１５は、後方向スキップ操作部２２から指示があった場合、前方向スキップ経過時間記憶部３５から前方向スキップ経過時間を取り出し、所定時間以上経過しているか否かを判断する。所定時間以上経過していた場合、スキップ時間決定部１１は、通常スキップ時間記憶部３３から通常スキップ時間Ｔｎｓを取り出す。そして、再生制御部１２は、通常スキップ時間Ｔｎｓだけ後方向に読み出し位置を移動するように読み出し制御部４０に対して指示する。
【００８０】
一方、所定時間以上経過していなかった場合、スキップ時間決定部１１は、調整スキップ時間記憶部３４から調整スキップ時間Ｔａｓを取り出す。そして、再生制御部１２は、調整スキップ時間Ｔａｓだけ後方向に読み出し位置を移動するように読み出し制御部４０に対して指示する。
【００８１】
図７は、図６で示す実施の形態２におけるＤＶＤプレーヤのコントローラ１０の処理内容を説明するためのフローチャートであり、ステップＳ２１からステップＳ３９までの処理で構成されている。以下に再生中に前方向スキップ操作部２１又は後方向スキップ操作部２２が操作された場合の操作状態と処理内容について説明する。なお、図７に示すステップＳ２１からステップＳ２６までの処理は、図３に示すステップＳ１からステップＳ６までの処理と同じであるので説明を省略する。
【００８２】
ステップＳ２７において、再生制御部１２は、前方向へのスキップ操作が受け付けられたか否かを判断する。前方向へのスキップ操作が受け付けられたと判断された場合（ステップＳ２７でＹＥＳ）、ステップＳ２８において、経過時間判断部１５は、後方向スキップ経過時間記憶部３６に記憶されている後方向スキップ経過時間を読み出す。
【００８３】
次に、ステップＳ２９において、経過時間判断部１５は、後方向スキップ経過時間記憶部３６から読み出した後方向スキップ経過時間が予め定められている所定時間を経過しているか否かを判断する。
【００８４】
後方向スキップ経過時間が予め定められている所定時間を経過していると判断された場合（ステップＳ２９でＹＥＳ）、ステップＳ３０において、スキップ時間決定部１１は、通常スキップ時間記憶部３３に予め記憶されている通常スキップ時間Ｔｎｓを読み出し、前方向への再生位置のスキップ時間を通常スキップ時間Ｔｎｓに決定する。なお、本実施の形態における通常スキップ時間Ｔｎｓは、例えば１５秒に設定されている。
【００８５】
一方、後方向スキップ経過時間が予め定められている所定時間を経過していないと判断された場合（ステップＳ２９でＮＯ）、ステップＳ３１において、スキップ時間決定部１１は、調整スキップ時間記憶部３４に予め記憶されている調整スキップ時間Ｔａｓを読み出し、前方向への再生位置のスキップ時間を調整スキップ時間Ｔａｓに決定する。なお、本実施の形態における調整スキップ時間Ｔａｓは、例えば５秒に設定されている。
【００８６】
前方向への再生位置のスキップ時間が通常スキップ時間Ｔｎｓに決定された場合、ステップＳ３２において、再生制御部１２は、通常スキップ時間記憶部３３から読み出された通常スキップ時間Ｔｎｓだけ読み出し位置を前方向に移動するように読み出し制御部４０に対して指示する。読み出し制御部４０は、現在の再生位置から通常スキップ時間Ｔｎｓだけ前方向に移動した再生位置に対応する読み出し位置を求め、求めた読み出し位置へ光ピックアップを移動させるようにＤＶＤドライブ５０へ指示する。ＤＶＤドライブ５０は、アクチュエータを駆動し、光ピックアップの読み出し位置を現在の読み出し位置から通常スキップ時間Ｔｎｓ分だけ移動させる。
【００８７】
前方向への再生位置のスキップ時間が調整スキップ時間Ｔａｓに決定された場合、ステップＳ３２において、再生制御部１２は、調整スキップ時間記憶部３４から読み出された調整スキップ時間Ｔａｓだけ読み出し位置を前方向に移動するように読み出し制御部４０に対して指示する。読み出し制御部４０は、現在の再生位置から調整スキップ時間Ｔａｓだけ前方向に移動した再生位置に対応する読み出し位置を求め、求めた読み出し位置へ光ピックアップを移動させるようにＤＶＤドライブ５０へ指示する。ＤＶＤドライブ５０は、アクチュエータを駆動し、光ピックアップの読み出し位置を現在の読み出し位置から調整スキップ時間Ｔａｓ分だけ移動させる。
【００８８】
次に、ステップＳ３３において、前方向スキップ経過時間計測部１３は、前方向スキップ経過時間記憶部３５に記憶されている前方向スキップ経過時間をクリアし、新たに前方向スキップ経過時間の計測を開始する。そして、ステップＳ２２の処理へ戻り、再生を再開する。
【００８９】
一方、前方向へのスキップ操作が受け付けられていない、すなわち、後方向へのスキップ操作が受け付けられたと判断された場合（ステップＳ２７でＮＯ）、ステップＳ３４において、経過時間判断部１５は、前方向スキップ経過時間記憶部３５に記憶されている前方向スキップ経過時間を読み出す。
【００９０】
次に、ステップＳ３５において、経過時間判断部１５は、前方向スキップ経過時間記憶部３５から読み出した前方向スキップ経過時間が予め定められている所定時間を経過しているか否かを判断する。
【００９１】
前方向スキップ経過時間が予め定められている所定時間を経過していると判断された場合（ステップＳ３５でＹＥＳ）、ステップＳ３６において、スキップ時間決定部１１は、通常スキップ時間記憶部３３に予め記憶されている通常スキップ時間Ｔｎｓを読み出し、後方向への再生位置のスキップ時間を通常スキップ時間Ｔｎｓに決定する。
【００９２】
一方、前方向スキップ経過時間が予め定められている所定時間を経過していないと判断された場合（ステップＳ３５でＮＯ）、ステップＳ３７において、スキップ時間決定部１１は、調整スキップ時間記憶部３４に予め記憶されている調整スキップ時間Ｔａｓを読み出し、後方向への再生位置のスキップ時間を調整スキップ時間Ｔａｓに決定する。
【００９３】
後方向への再生位置のスキップ時間が通常スキップ時間Ｔｎｓに決定された場合、ステップＳ３８において、再生制御部１２は、通常スキップ時間記憶部３３から読み出された通常スキップ時間Ｔｎｓだけ読み出し位置を後方向に移動するように読み出し制御部４０に対して指示する。読み出し制御部４０は、現在の再生位置から通常スキップ時間Ｔｎｓだけ後方向に移動した再生位置に対応する読み出し位置を求め、求めた読み出し位置へ光ピックアップを移動させるようにＤＶＤドライブ５０へ指示する。ＤＶＤドライブ５０は、アクチュエータを駆動し、光ピックアップの読み出し位置を現在の読み出し位置から通常スキップ時間Ｔｎｓ分だけ移動させる。
【００９４】
後方向への再生位置のスキップ時間が調整スキップ時間Ｔａｓに決定された場合、ステップＳ３８において、再生制御部１２は、調整スキップ時間記憶部３４から読み出された調整スキップ時間Ｔａｓだけ読み出し位置を後方向に移動するように読み出し制御部４０に対して指示する。読み出し制御部４０は、現在の再生位置から調整スキップ時間Ｔａｓだけ後方向に移動した再生位置に対応する読み出し位置を求め、求めた読み出し位置へ光ピックアップを移動させるようにＤＶＤドライブ５０へ指示する。ＤＶＤドライブ５０は、アクチュエータを駆動し、光ピックアップの読み出し位置を現在の読み出し位置から調整スキップ時間Ｔａｓ分だけ移動させる。
【００９５】
次に、ステップＳ３９において、後方向スキップ経過時間計測部１４は、後方向スキップ経過時間記憶部３６に記憶されている後方向スキップ経過時間をクリアし、新たに後方向スキップ経過時間の計測を開始する。そして、ステップＳ２２の処理へ戻り、再生を再開する。
【００９６】
以上のように、前方向又は後方向へのスキップが指示されてから所定時間内に前回と反対方向のスキップが指示されたときは、所定時間以上経過してから前回と反対方向のスキップが指示されたときの通常スキップ時間よりも短い調整スキップ時間が決定されるので、利用者が、前方向のスキップにより視聴したくない部分をスキップした後、視聴したい部分の先頭から視聴するため後方向へスキップする場合、または、後方向のスキップにより視聴したい部分の前の位置まで戻った後、視聴したい部分の先頭から視聴するため前方向へスキップする場合、短いスキップ時間だけスキップされることになり、先頭が再生されるまでの待ち時間を少なくすることができる。
【００９７】
また、所定の通常スキップ時間が予め記憶されているとともに、通常スキップ時間よりも短い調整スキップ時間が予め記憶されている。そして、前方向への再生位置のスキップの指示が受け付けられ、計測された後方向スキップ経過時間が、予め決められた所定時間を経過していた場合、前方向への再生位置のスキップ時間として、予め記憶されている通常スキップ時間が選択される。また、前方向への再生位置のスキップの指示が受け付けられ、計測された後方向スキップ経過時間が、予め決められた所定時間を経過していない場合、前方向への再生位置のスキップ時間として、予め記憶されている調整スキップ時間が選択される。さらに、後方向への再生位置のスキップの指示が受け付けられ、計測された前方向スキップ経過時間が、予め決められた所定時間を経過していた場合、後方向への再生位置のスキップ時間として、予め記憶されている通常スキップ時間が選択される。さらにまた、後方向への再生位置のスキップの指示が受け付けられ、計測された前方向スキップ経過時間が、予め決められた所定時間を経過していない場合、後方向への再生位置のスキップ時間として、予め記憶されている調整スキップ時間が選択される。
【００９８】
したがって、前方向へのスキップが指示されてから所定時間内に後方向のスキップが指示されたときは、所定時間以上経過してから後方向のスキップが指示されたときよりも短い調整スキップ時間が決定されるので、利用者が、前方向のスキップにより視聴したくない部分をスキップした後、視聴したい部分の先頭から視聴するため後方向へスキップする場合、短いスキップ時間だけスキップされることになり、先頭が再生されるまでの待ち時間を少なくすることができる。また、後方向へのスキップが指示されてから所定時間内に前方向のスキップが指示されたときは、所定時間以上経過してから前方向のスキップが指示されたときよりも短い調整スキップ時間が決定されるので、利用者が、後方向のスキップにより視聴したい部分の前の位置まで戻った後、視聴したい部分の先頭から視聴するため前方向へスキップする場合、短いスキップ時間だけスキップされることになり、先頭が再生されるまでの待ち時間を少なくすることができる。
【００９９】
なお、以上の説明は本発明をＤＶＤプレーヤに適応した場合を例に説明をしたが、ＤＶＤディスク以外の記憶媒体から情報を読み出し、これを表示することができるシステムでも同様に実施可能である。
【０１００】
また、通常スキップ時間Ｔｎｓ及び調整スキップ時間Ｔａｓは固定の値ではなく、可変とし使用者が設定できる構成としてもよい。また、本実施の形態では、調整スキップ時間Ｔａｓが通常スキップ時間Ｔｎｓよりも小さい値となるように設定されているが、本発明は特にこれに限定されず、通常スキップ時間Ｔｎｓが調整スキップ時間Ｔａｓよりも小さい値となるように設定してもよい。
【０１０１】
さらに、本実施の形態では、再生中に、前方向への再生位置のスキップ及び後方向への再生位置のスキップのうちいずれかの指示が受け付けられた場合、再生を停止し、スキップ時間決定部１１によって決定されたスキップ時間だけ、記録媒体（ＤＶＤディスク）からの情報の読み出し位置を移動させ、読み出し位置の移動終了後に再生を再開させるとしているが、本発明は特にこれに限定されない。本実施の形態では、一時停止中に、前方向への再生位置のスキップ及び後方向への再生位置のスキップのうちいずれかの指示が受け付けられた場合、スキップ時間決定部１１によって決定されたスキップ時間だけ、記録媒体（ＤＶＤディスク）からの情報の読み出し位置を移動させ、移動後の読み出し位置の最初の情報のみを再生させてもよい。
【０１０２】
さらにまた、本実施の形態におけるＤＶＤプレーヤは、前方向スキップ経過時間計測部１３、後方向スキップ経過時間計測部１４、前方向スキップ経過時間記憶部３５及び後方向スキップ経過時間記憶部３６を備えているが、本発明は特にこれに限定されず、前方向スキップ経過時間計測部１３及び前方向スキップ経過時間記憶部３５を備え、後方向スキップ経過時間計測部１４及び後方向スキップ経過時間記憶部３６を備えない構成であってもよい。
【０１０３】
この場合、前方向への再生位置のスキップが最後に指示されてからの経過時間が計測される。そして、後方向への再生位置のスキップの指示が受け付けられた場合、前方向への再生位置のスキップが最後に指示されてからの経過時間が予め定められている所定時間を経過しているか否かが判断される。経過時間が所定時間を経過していると判断された場合、スキップ時間を通常スキップ時間に決定し、所定時間を経過していないと判断された場合、スキップ時間を通常スキップ時間よりも短い調整スキップ時間に決定される。
【０１０４】
また、所定の通常スキップ時間が予め記憶されているとともに、通常スキップ時間よりも短い調整スキップ時間が予め記憶されている。そして、後方向への再生位置のスキップの指示が受け付けられ、計測された前方向スキップ経過時間が、予め決められた所定時間を経過していた場合、後方向への再生位置のスキップ時間として、予め記憶されている通常スキップ時間が選択される。また、後方向への再生位置のスキップの指示が受け付けられ、計測された前方向スキップ経過時間が、予め決められた所定時間を経過していない場合、後方向への再生位置のスキップ時間として、予め記憶されている調整スキップ時間が選択される。
【０１０５】
したがって、前方向へのスキップが指示されてから所定時間内に後方向へのスキップが指示されたときは、所定時間以上経過してから後方向へのスキップが指示されたときよりも短い調整スキップ時間が決定されるので、利用者が、前方向のスキップにより視聴したくない部分をスキップした後、視聴したい部分の先頭から視聴するため後方向へスキップする場合、短いスキップ時間だけスキップされることになり、先頭が再生されるまでの待ち時間を少なくすることができる。
【０１０６】
同様に、本実施の形態におけるＤＶＤプレーヤは、後方向スキップ経過時間計測部１４及び後方向スキップ経過時間記憶部３６を備え、前方向スキップ経過時間計測部１３及び前方向スキップ経過時間記憶部３５を備えない構成であってもよい。
【０１０７】
この場合、後方向への再生位置のスキップが最後に指示されてからの経過時間が計測される。そして、前方向への再生位置のスキップの指示が受け付けられた場合、後方向への再生位置のスキップが最後に指示されてからの経過時間が予め定められている所定時間を経過しているか否かが判断される。経過時間が所定時間を経過していると判断された場合、スキップ時間を通常スキップ時間に決定し、所定時間を経過していないと判断された場合、スキップ時間を通常スキップ時間よりも短い調整スキップ時間に決定される。
【０１０８】
また、所定の通常スキップ時間が予め記憶されているとともに、通常スキップ時間よりも短い調整スキップ時間が予め記憶されている。そして、前方向への再生位置のスキップの指示が受け付けられ、計測された後方向スキップ経過時間が、予め決められた所定時間を経過していた場合、前方向への再生位置のスキップ時間として、予め記憶されている通常スキップ時間が選択される。また、前方向への再生位置のスキップの指示が受け付けられ、計測された後方向スキップ経過時間が、予め決められた所定時間を経過していない場合、前方向への再生位置のスキップ時間として、予め記憶されている調整スキップ時間が選択される。
【０１０９】
したがって、後方向へのスキップが指示されてから所定時間内に前方向へのスキップが指示されたときは、所定時間以上経過してから前方向へのスキップが指示されたときよりも短い調整スキップ時間が決定されるので、利用者が、後方向のスキップにより視聴したい部分の前の位置まで戻った後、視聴したい部分の先頭から視聴するため前方向へスキップする場合、短いスキップ時間だけスキップされることになり、先頭が再生されるまでの待ち時間を少なくすることができる。
【０１１０】
また、本実施の形態では、通常スキップ時間Ｔｎｓが例えば１５秒に設定されており、調整スキップ時間Ｔａｓが例えば５秒に設定されているとしているが、本発明は特にこれに限定されず、利用者が視聴したい部分であるか否かを確認するために必要な操作遅延時間を考慮して、通常スキップ時間Ｔｎｓを例えば１４秒に設定し、調整スキップ時間Ｔａｓを例えば６秒に設定してもよい。
【０１１１】
なお、本実施の形態における構成要素は、コンピュータ上でプログラムを稼動させることにより、実現してもよく、当該プログラムは記録媒体に記録する構成としてもよい。
【０１１２】
（実施の形態３）
次に、本発明の実施の形態３について説明する。実施の形態２では、前方向又は後方向へのスキップ操作からの経過時間を計測し、前方向又は後方向へのスキップ操作が指示された場合、当該スキップ操作とは反対方向のスキップ操作からの経過時間が所定時間内であるか否かを判断し、所定時間内でない場合、通常スキップ時間に決定し、所定時間内である場合、通常スキップ時間よりも短い調整スキップ時間に決定している。これに対し、実施の形態３では、前方向又は後方向へのスキップ操作が指示された場合、当該スキップ操作とは反対方向のスキップ操作からの経過時間が所定時間内であっても、所定の回数連続して調整スキップ時間が選択された場合、それ以降は通常スキップ時間を選択する。
【０１１３】
図８は、本発明の実施の形態３におけるＤＶＤプレーヤの詳細な構成を示すブロック図である。図８に図示されていない他の構成要素は実施の形態１及び実施の形態２と同様である。また、図８において、実施の形態１及び実施の形態２と同じ構成要素については同一の符号を付し、説明を省略する。メモリ３０は、通常スキップ時間記憶部３３、調整スキップ時間記憶部３４、前方向スキップ経過時間記憶部３５、後方向スキップ経過時間記憶部３６及びスキップ方向記憶部３７及びスキップ回数記憶部３８を備える。
【０１１４】
スキップ方向記憶部３７は、前方向スキップ操作部２１又は後方向スキップ操作部２２によって最後に受け付けられたスキップ方向を記憶する。スキップ回数記憶部３８は、スキップ時間決定部１１によって調整スキップ時間が連続して決定された回数を記憶する。
【０１１５】
スキップ時間決定部１１は、前方向スキップ操作部２１又は後方向スキップ操作部２２によって受け付けられた指示がスキップ方向記憶部３７に記憶されているスキップ方向と反対方向である場合、調整スキップ時間を選択する。
【０１１６】
また、スキップ時間決定部１１は、前方向スキップ操作部２１又は後方向スキップ操作部２２によって受け付けられた指示がスキップ方向記憶部３７に記憶されているスキップ方向と同一方向であり、かつスキップ回数記憶部３８に記憶されている調整スキップ時間の連続して決定された回数が所定の回数に達していない場合、調整スキップ時間を選択する。
【０１１７】
さらに、スキップ時間決定部１１は、前方向スキップ操作部２１又は後方向スキップ操作部２２によって受け付けられた指示がスキップ方向記憶部３７に記憶されているスキップ方向と同一方向であり、かつスキップ回数記憶部３８に記憶されている調整スキップ時間の連続して決定された回数が所定の回数に達した場合、通常スキップ時間を選択する。
【０１１８】
なお、本実施の形態において、スキップ方向記憶部３７がスキップ方向記憶手段の一例に相当し、スキップ回数記憶部３８がスキップ回数記憶手段の一例に相当する。
【０１１９】
図９は、図８で示す実施の形態３におけるＤＶＤプレーヤのコントローラ１０の処理内容を説明するためのフローチャートである。なお、図９に示す実施の形態３におけるＤＶＤプレーヤの動作について、図７に示す実施の形態２のステップＳ２１からステップＳ２６までの動作は同じであるので図示及び説明を省略し、ステップＳ２７（ステップＳ４１）以降の処理のみを説明する。
【０１２０】
ステップＳ４１において、再生制御部１２は、前方向へのスキップ操作が受け付けられたか否かを判断する。前方向へのスキップ操作が受け付けられたと判断された場合（ステップＳ４１でＹＥＳ）、ステップＳ４２において、経過時間判断部１５は、後方向スキップ経過時間記憶部３６に記憶されている後方向スキップ経過時間を読み出す。
【０１２１】
次に、ステップＳ４３において、経過時間判断部１５は、後方向スキップ経過時間記憶部３６から読み出した後方向スキップ経過時間が予め定められている所定時間を経過しているか否かを判断する。
【０１２２】
後方向スキップ経過時間が予め定められている所定時間を経過していると判断された場合（ステップＳ４３でＹＥＳ）、ステップＳ４４において、スキップ時間決定部１１は、スキップ回数記憶部３８に記憶されているスキップ回数を０に設定する。次に、ステップＳ４５において、スキップ時間決定部１１は、通常スキップ時間記憶部３３に予め記憶されている通常スキップ時間Ｔｎｓを読み出し、前方向への再生位置のスキップ時間を通常スキップ時間Ｔｎｓに決定する。なお、本実施の形態における通常スキップ時間Ｔｎｓは、例えば１５秒に設定されている。
【０１２３】
一方、後方向スキップ経過時間が予め定められている所定時間を経過していないと判断された場合（ステップＳ４３でＮＯ）、ステップＳ４６において、スキップ時間決定部１１は、最後に指示されたスキップ方向をスキップ方向記憶部３７から読み出す。次に、ステップＳ４７において、スキップ時間決定部１１は、スキップ方向記憶部３７から読み出したスキップ方向と、前方向スキップ操作部２１によって指示されたスキップ方向とが同一方向であるか否かを判断する。
【０１２４】
スキップ方向記憶部３７から読み出したスキップ方向と前方向スキップ操作部２１によって指示されたスキップ方向とが同一方向であると判断された場合（ステップＳ４７でＹＥＳ）、ステップＳ４８において、スキップ時間決定部１１は、調整スキップ時間が連続して決定された回数（スキップ回数）をスキップ回数記憶部３８から読み出す。次に、ステップＳ４９において、スキップ時間決定部１１は、スキップ回数記憶部３８から読み出したスキップ回数が予め設定されている所定回数以上であるか否かを判断する。なお、本実施の形態における所定回数は、例えば３回に設定されている。
【０１２５】
スキップ回数が所定回数以上であると判断された場合（ステップＳ４９でＹＥＳ）、ステップＳ４５において、スキップ時間決定部１１は、通常スキップ時間記憶部３３に予め記憶されている通常スキップ時間Ｔｎｓを読み出し、前方向への再生位置のスキップ時間を通常スキップ時間Ｔｎｓに決定する。
【０１２６】
一方、スキップ方向記憶部３７から読み出したスキップ方向と前方向スキップ操作部２１によって指示されたスキップ方向とが同一方向でないと判断された場合（ステップＳ４７でＮＯ）、又はスキップ回数が所定回数より少ないと判断された場合（ステップＳ４９でＮＯ）、ステップＳ５０において、スキップ時間決定部１１は、調整スキップ時間記憶部３４に予め記憶されている調整スキップ時間Ｔａｓを読み出し、前方向への再生位置のスキップ時間を調整スキップ時間Ｔａｓに決定する。なお、本実施の形態における調整スキップ時間Ｔａｓは、例えば５秒に設定されている。次に、ステップＳ５１において、再生制御部１２は、スキップ回数記憶部３８に記憶されているスキップ回数を１だけインクリメントする。
【０１２７】
前方向への再生位置のスキップ時間が通常スキップ時間Ｔｎｓに決定された場合、ステップＳ５２において、再生制御部１２は、通常スキップ時間記憶部３３から読み出された通常スキップ時間Ｔｎｓだけ読み出し位置を前方向に移動するように読み出し制御部４０に対して指示する。また、前方向への再生位置のスキップ時間が調整スキップ時間Ｔａｓに決定された場合、ステップＳ５２において、再生制御部１２は、調整スキップ時間記憶部３４から読み出された調整スキップ時間Ｔａｓだけ読み出し位置を前方向に移動するように読み出し制御部４０に対して指示する。
【０１２８】
次に、ステップＳ５３において、前方向スキップ経過時間計測部１３は、前方向スキップ経過時間記憶部３５に記憶されている前方向スキップ経過時間をクリアし、新たに前方向スキップ経過時間の計測を開始する。次に、ステップＳ５４において、再生制御部１２は、前方向スキップを最後に受け付けられたスキップ方向としてスキップ方向記憶部３７に記憶する。そして、ステップＳ２２の処理へ戻り、読み出し制御部４０は再生を再開する。
【０１２９】
一方、前方向へのスキップ操作が受け付けられていない、すなわち、後方向へのスキップ操作が受け付けられたと判断された場合（ステップＳ４１でＮＯ）、ステップＳ５５において、経過時間判断部１５は、前方向スキップ経過時間記憶部３５に記憶されている前方向スキップ経過時間を読み出す。次に、ステップＳ５６において、経過時間判断部１５は、前方向スキップ経過時間記憶部３５から読み出した前方向スキップ経過時間が予め定められている所定時間を経過しているか否かを判断する。
【０１３０】
前方向スキップ経過時間が予め定められている所定時間を経過していると判断された場合（ステップＳ５６でＹＥＳ）、ステップＳ５７において、スキップ時間決定部１１は、スキップ回数記憶部３８に記憶されているスキップ回数を０に設定する。次に、ステップＳ５８において、スキップ時間決定部１１は、通常スキップ時間記憶部３３に予め記憶されている通常スキップ時間Ｔｎｓを読み出し、後方向への再生位置のスキップ時間を通常スキップ時間Ｔｎｓに決定する。
【０１３１】
一方、前方向スキップ経過時間が予め定められている所定時間を経過していないと判断された場合（ステップＳ５６でＮＯ）、ステップＳ５９において、スキップ時間決定部１１は、最後に指示されたスキップ方向をスキップ方向記憶部３７から読み出す。次に、ステップＳ６０において、スキップ時間決定部１１は、スキップ方向記憶部３７から読み出したスキップ方向と、後方向スキップ操作部２２によって指示されたスキップ方向とが同一方向であるか否かを判断する。
【０１３２】
スキップ方向記憶部３７から読み出したスキップ方向と後方向スキップ操作部２２によって指示されたスキップ方向とが同一方向であると判断された場合（ステップＳ６０でＹＥＳ）、ステップＳ６１において、スキップ時間決定部１１は、調整スキップ時間が連続して決定された回数（スキップ回数）をスキップ回数記憶部３８から読み出す。次に、ステップＳ６２において、スキップ時間決定部１１は、スキップ回数記憶部３８から読み出したスキップ回数が予め設定されている所定回数以上であるか否かを判断する。
【０１３３】
スキップ回数が所定回数以上であると判断された場合（ステップＳ６２でＹＥＳ）、ステップＳ５８において、スキップ時間決定部１１は、通常スキップ時間記憶部３３に予め記憶されている通常スキップ時間Ｔｎｓを読み出し、後方向への再生位置のスキップ時間を通常スキップ時間Ｔｎｓに決定する。
【０１３４】
一方、スキップ方向記憶部３７から読み出したスキップ方向と後方向スキップ操作部２２によって指示されたスキップ方向とが同一方向でないと判断された場合（ステップＳ６０でＮＯ）、又はスキップ回数が所定回数より少ないと判断された場合（ステップＳ６２でＮＯ）、ステップＳ６３において、スキップ時間決定部１１は、調整スキップ時間記憶部３４に予め記憶されている調整スキップ時間Ｔａｓを読み出し、後方向への再生位置のスキップ時間を調整スキップ時間Ｔａｓに決定する。次に、ステップＳ６４において、再生制御部１２は、スキップ回数記憶部３８に記憶されているスキップ回数を１だけインクリメントする。
【０１３５】
後方向への再生位置のスキップ時間が通常スキップ時間Ｔｎｓに決定された場合、ステップＳ６５において、再生制御部１２は、通常スキップ時間記憶部３３から読み出された通常スキップ時間Ｔｎｓだけ読み出し位置を後方向に移動するように読み出し制御部４０に対して指示する。また、後方向への再生位置のスキップ時間が調整スキップ時間Ｔａｓに決定された場合、ステップＳ６５において、再生制御部１２は、調整スキップ時間記憶部３４から読み出された調整スキップ時間Ｔａｓだけ読み出し位置を後方向に移動するように読み出し制御部４０に対して指示する。
【０１３６】
次に、ステップＳ６６において、後方向スキップ経過時間計測部１４は、後方向スキップ経過時間記憶部３６に記憶されている後方向スキップ経過時間をクリアし、新たに後方向スキップ経過時間の計測を開始する。次に、ステップＳ６７において、再生制御部１２は、後方向スキップを最後に受け付けられたスキップ方向としてスキップ方向記憶部３７に記憶する。そして、ステップＳ２２の処理に戻り、読み出し制御部４０は再生を再開する。
【０１３７】
図１０は、本発明の実施の形態３におけるＤＶＤプレーヤの動作について説明するための図である。なお、図１０において、実線の右矢印３０１ａ，３０１ｂ，３０１ｃ，３０１ｄ，３０１ｅ，３０１ｆ，３０１ｇ，３０１ｈ，３０１ｉ，３０１ｊは再生処理を示しており、破線の右矢印３０２ａ，３０２ｂ，３０２ｃは通常スキップ時間での前方向へのスキップ処理を示しており、破線の左矢印３０３ａ，３０３ｂ，３０３ｃは調整スキップ時間での後方向へのスキップ処理を示しており、破線の左矢印３０４ａ，３０４ｂ，３０４ｃは通常スキップ時間での後方向へのスキップ処理を示している。また、Ｔｆｓｎは、前方向への通常スキップ時間を示し、Ｔｂｓｎは、後方向への通常スキップ時間を示し、Ｔｂｓａは、後方向への調整スキップ時間を示している。
【０１３８】
ＤＶＤディスクに記録された映像や音声が実線の右矢印３０１ａで示すように再生されている際、前方向スキップ操作部２１が操作されると、破線の右矢印３０２ａで示すように通常スキップ時間記憶部３３に記憶されている通常スキップ時間Ｔｆｓｎだけ前方向にスキップされる。そして、実線の右矢印３０１ｂで示すように再生されている際、前方向スキップ操作部２１が操作されると、破線の右矢印３０２ｂで示すように通常スキップ時間記憶部３３に記憶されている通常スキップ時間Ｔｆｓｎだけ前方向にスキップされる。さらに、実線の右矢印３０１ｃで示すように再生されている際、前方向スキップ操作部２１が操作されると、破線の右矢印３０２ｃで示すように通常スキップ時間記憶部３３に記憶されている通常スキップ時間Ｔｆｓｎだけ前方向にスキップされる。
【０１３９】
次に、実線の右矢印３０１ｄで示すように再生されているとき、利用者が現在の再生位置よりも後方向へ再生位置を移動させる場合、利用者は、視聴したい部分までスキップさせるために、後方向スキップ操作部２２を操作する。これにより、破線の左矢印３０３ａで示すように調整スキップ時間記憶部３４に記憶されている調整スキップ時間Ｔｂｓａだけスキップされ、実線の右矢印３０１ｅで示すように再生が再開される。
【０１４０】
このとき、利用者は、まだ視聴したくない部分であることに気が付き、視聴したい部分までスキップさせるために、後方向スキップ操作部２２を操作する。これにより、破線の左矢印３０３ｂで示すように調整スキップ時間記憶部３４に記憶されている調整スキップ時間Ｔｂｓａだけスキップされ、実線の右矢印３０１ｆで示すように再生が再開される。
【０１４１】
さらに、利用者は、まだ視聴したくない部分であることに気が付き、視聴したい部分までスキップさせるために、後方向スキップ操作部２２を操作する。これにより、破線の左矢印３０３ｃで示すように調整スキップ時間記憶部３４に記憶されている調整スキップ時間Ｔｂｓａだけスキップされ、実線の右矢印３０１ｇで示すように再生が再開される。
【０１４２】
ここで、前方向スキップ経過時間が所定時間内であれば、後方向スキップ操作部２２が操作される度に調整スキップ時間Ｔｂｓａが選択されることとなる。利用者は、視聴したい部分がさらに後方向にある場合、何回も後方向スキップ操作部２２を操作する必要があり、操作が煩雑となる虞がある。そこで、実施の形態３におけるスキップ時間決定部１１は、所定の回数だけ連続して調整スキップ時間が選択された場合、通常スキップ時間を選択する。
【０１４３】
すなわち、所定の回数が例えば３回に設定されている場合、実線の右矢印３０１ｇで示すように再生されているとき、後方向スキップ操作部２２が操作されると、スキップ時間決定部１１は、後方向スキップ操作部２２によって受け付けられた指示がスキップ方向記憶部３７に記憶されているスキップ方向と同一方向であると判断する。そして、スキップ時間決定部１１は、スキップ回数記憶部３８に記憶されている調整スキップ時間の連続して決定された回数が所定の回数に達していると判断し、通常スキップ時間を選択する。これにより、破線の左矢印３０４ａで示すように通常スキップ時間記憶部３３に記憶されている通常スキップ時間Ｔｂｓｎだけスキップされ、実線の右矢印３０１ｈで示すように再生が再開される。
【０１４４】
このときの再生位置が利用者の視聴したい再生位置でない場合、利用者が視聴したい再生位置よりも後方向になるように、後方向スキップ操作部２２が繰り返し操作される。これにより、破線の左矢印３０４ｂ，３０４ｃで示すように通常スキップ時間記憶部３３に記憶されている通常スキップ時間Ｔｂｓｎだけ後方向にスキップされ、実線の右矢印３０１ｊで示すように再生が再開される。
【０１４５】
このように、最後に受け付けられたスキップ方向が記憶され、調整スキップ時間が連続して決定された回数が記憶される。そして、受け付けられた指示が、記憶されているスキップ方向と反対方向である場合、調整スキップ時間が選択される。また、受け付けられた指示が、記憶されているスキップ方向と同一方向であり、かつ記憶されている調整スキップ時間の連続して決定された回数が所定の回数に達していない場合、調整スキップ時間が選択される。さらに、受け付けられた指示が、記憶されているスキップ方向と同一方向であり、かつ記憶されている調整スキップ時間の連続して決定された回数が所定の回数に達している場合、通常スキップ時間が選択される。
【０１４６】
したがって、前方向又は後方向へのスキップが指示されてから所定時間内に前回と反対方向のスキップが指示されたときは、所定時間以上経過してから前回と反対方向のスキップが指示されたときよりも短い調整スキップ時間が決定され、同一方向へ所定の回数以上連続して調整スキップ時間でスキップ操作が行われた場合、調整スキップ時間よりも長い通常スキップ時間でスキップ操作が行われるので、視聴したい部分の先頭が、調整スキップ時間で同一方向へ所定回数だけ連続してスキップ操作した時間よりも長い場合であっても、迅速に視聴したい部分の先頭へ再生位置を移動させることができる。
【０１４７】
（実施の形態４）
次に、実施の形態４について説明する。実施の形態４では、前回のスキップ処理が完了してから次のスキップ操作までの再生時間を計測し、次のスキップ操作が前方向への再生位置のスキップである場合、通常スキップ時間から再生時間を減算した時間をスキップ時間として決定し、次のスキップ操作が後方向への再生位置のスキップである場合、調整スキップ時間に再生時間を加算した時間をスキップ時間として決定する。
【０１４８】
図１１は、本発明の実施の形態４におけるＤＶＤプレーヤの構成を示すブロック図である。図１１に図示されていない他の構成要素は実施の形態１、実施の形態２及び実施の形態３と同様である。また、図１１において、実施の形態１、実施の形態２及び実施の形態３と同じ構成要素については同一の符号を付し、説明を省略する。
【０１４９】
メモリ３０は、通常スキップ時間記憶部３３、調整スキップ時間記憶部３４、前方向スキップ経過時間記憶部３５、後方向スキップ経過時間記憶部３６及び再生時間記憶部３９を備える。コントローラ１０は、スキップ時間決定部１１、再生制御部１２、前方向スキップ経過時間計測部１３、後方向スキップ経過時間計測部１４、経過時間判断部１５及び再生時間計測部１６を備える。
【０１５０】
再生時間記憶部３９は、前回のスキップ操作完了時刻から次のスキップ操作開始時刻までの再生時間を記憶する。再生時間計測部１６は、前回のスキップ操作完了時刻から次のスキップ操作開始時刻までの再生時間を計測し、再生時間記憶部３９に記憶する。
【０１５１】
スキップ時間決定部１１は、次のスキップ操作が前方向への再生位置のスキップである場合、通常スキップ時間から再生時間計測部１６によって計測された再生時間を減算した時間をスキップ時間として決定し、次のスキップ操作が後方向への再生位置のスキップである場合、調整スキップ時間に再生時間計測部１６によって計測された再生時間を加算した時間をスキップ時間として決定する。なお、本実施の形態において、再生時間計測部１６が再生時間計測手段の一例に相当する。
【０１５２】
図１２は、図１１で示す実施の形態４におけるＤＶＤプレーヤのコントローラ１０の処理内容を説明するためのフローチャートである。なお、図１２に示す実施の形態４におけるＤＶＤプレーヤの動作について、図７に示す実施の形態２のステップＳ２１からステップＳ２６までの動作は同じであるので図示及び説明を省略し、ステップＳ２７（ステップＳ７１）以降の処理のみを説明する。
【０１５３】
ステップＳ７１において、再生制御部１２は、前方向へのスキップ操作が受け付けられたか否かを判断する。前方向へのスキップ操作が受け付けられたと判断された場合（ステップＳ７１でＹＥＳ）、ステップＳ７２において、経過時間判断部１５は、後方向スキップ経過時間記憶部３６に記憶されている後方向スキップ経過時間を読み出す。次に、ステップＳ７３において、経過時間判断部１５は、後方向スキップ経過時間記憶部３６から読み出した後方向スキップ経過時間が予め定められている所定時間を経過しているか否かを判断する。
【０１５４】
後方向スキップ経過時間が予め定められている所定時間を経過していると判断された場合（ステップＳ７３でＹＥＳ）、ステップＳ７４において、スキップ時間決定部１１は、通常スキップ時間記憶部３３に予め記憶されている通常スキップ時間Ｔｎｓを読み出す。なお、本実施の形態における通常スキップ時間Ｔｎｓは、例えば１５秒に設定されている。次に、ステップＳ７５において、スキップ時間決定部１１は、再生時間記憶部３９に記憶されている再生時間ｔを読み出す。
【０１５５】
次に、ステップＳ７６において、スキップ時間決定部１１は、通常スキップ時間記憶部３３から読み出された通常スキップ時間Ｔｎｓから、再生時間記憶部３９から読み出された再生時間ｔを減算した時間をスキップ時間に決定する。このとき、通常スキップ時間Ｔｎｓは、再生時間ｔよりも大きい値である。
【０１５６】
一方、後方向スキップ経過時間が予め定められている所定時間を経過していないと判断された場合（ステップＳ７３でＮＯ）、ステップＳ７７において、スキップ時間決定部１１は、調整スキップ時間記憶部３４に予め記憶されている調整スキップ時間Ｔａｓを読み出す。なお、本実施の形態における調整スキップ時間Ｔａｓは、例えば５秒に設定されている。次に、ステップＳ７８において、スキップ時間決定部１１は、再生時間記憶部３９に記憶されている再生時間ｔを読み出す。
【０１５７】
次に、ステップＳ７９において、スキップ時間決定部１１は、調整スキップ時間記憶部３４から読み出された調整スキップ時間Ｔａｓから、再生時間記憶部３９から読み出された再生時間ｔを減算した時間をスキップ時間に決定する。このとき、調整スキップ時間Ｔａｓは、再生時間ｔよりも大きい。
【０１５８】
前方向への再生位置のスキップ時間が通常スキップ時間Ｔｎｓから再生時間ｔを減算した時間に決定された場合、ステップＳ８０において、再生制御部１２は、通常スキップ時間記憶部３３から読み出された通常スキップ時間Ｔｎｓから再生時間ｔを減算した時間だけ読み出し位置を前方向に移動するように読み出し制御部４０に対して指示する。また、前方向への再生位置のスキップ時間が調整スキップ時間Ｔａｓから再生時間ｔを減算した時間に決定された場合、ステップＳ８０において、再生制御部１２は、調整スキップ時間記憶部３４から読み出された調整スキップ時間Ｔａｓから再生時間ｔを減算した時間だけ読み出し位置を前方向に移動するように読み出し制御部４０に対して指示する。
【０１５９】
次に、ステップＳ８１において、前方向スキップ経過時間計測部１３は、前方向スキップ経過時間記憶部３５に記憶されている前方向スキップ経過時間をクリアし、新たに前方向スキップ経過時間の計測を開始する。次に、ステップＳ８２において、再生時間計測部１６は、再生時間記憶部３９に記憶されている再生時間ｔをクリアする。そして、ステップＳ２２の処理へ戻り、読み出し制御部４０は再生を再開する。再生が再開されると、再生時間計測部１６は再生時間ｔの計測を開始する。
【０１６０】
一方、前方向へのスキップ操作が受け付けられていない、すなわち、後方向へのスキップ操作が受け付けられたと判断された場合（ステップＳ７１でＮＯ）、ステップＳ８３において、経過時間判断部１５は、前方向スキップ経過時間記憶部３５に記憶されている前方向スキップ経過時間を読み出す。次に、ステップＳ８４において、経過時間判断部１５は、前方向スキップ経過時間記憶部３５から読み出した前方向スキップ経過時間が予め定められている所定時間を経過しているか否かを判断する。
【０１６１】
前方向スキップ経過時間が予め定められている所定時間を経過していると判断された場合（ステップＳ８４でＹＥＳ）、ステップＳ８５において、スキップ時間決定部１１は、通常スキップ時間記憶部３３に予め記憶されている通常スキップ時間Ｔｎｓを読み出す。次に、ステップＳ８６において、スキップ時間決定部１１は、再生時間記憶部３９に記憶されている再生時間ｔを読み出す。
【０１６２】
次に、ステップＳ８７において、スキップ時間決定部１１は、通常スキップ時間記憶部３３から読み出された通常スキップ時間Ｔｎｓに、再生時間記憶部３９から読み出された再生時間ｔを加算した時間をスキップ時間に決定する。
【０１６３】
一方、後方向スキップ経過時間が予め定められている所定時間を経過していないと判断された場合（ステップＳ８４でＮＯ）、ステップＳ８８において、スキップ時間決定部１１は、調整スキップ時間記憶部３４に予め記憶されている調整スキップ時間Ｔａｓを読み出す。次に、ステップＳ８９において、スキップ時間決定部１１は、再生時間記憶部３９に記憶されている再生時間ｔを読み出す。
【０１６４】
次に、ステップＳ９０において、スキップ時間決定部１１は、調整スキップ時間記憶部３４から読み出された調整スキップ時間Ｔａｓに、再生時間記憶部３９から読み出された再生時間ｔを加算した時間をスキップ時間に決定する。
【０１６５】
後方向への再生位置のスキップ時間が通常スキップ時間Ｔｎｓに再生時間ｔを加算した時間に決定された場合、ステップＳ９１において、再生制御部１２は、通常スキップ時間記憶部３３から読み出された通常スキップ時間Ｔｎｓに再生時間ｔを加算した時間だけ読み出し位置を後方向に移動するように読み出し制御部４０に対して指示する。また、後方向への再生位置のスキップ時間が調整スキップ時間Ｔａｓに再生時間ｔを加算した時間に決定された場合、ステップＳ９１において、再生制御部１２は、調整スキップ時間記憶部３４から読み出された調整スキップ時間Ｔａｓに再生時間ｔを加算した時間だけ読み出し位置を後方向に移動するように読み出し制御部４０に対して指示する。
【０１６６】
次に、ステップＳ９２において、後方向スキップ経過時間計測部１４は、後方向スキップ経過時間記憶部３６に記憶されている後方向スキップ経過時間をクリアし、新たに後方向スキップ経過時間の計測を開始する。次に、ステップＳ９３において、再生時間計測部１６は、再生時間記憶部３９に記憶されている再生時間ｔをクリアする。そして、ステップＳ２２の処理へ戻り、読み出し制御部４０は再生を再開する。再生が再開されると、再生時間計測部１６は再生時間ｔの計測を開始する。
【０１６７】
このように、前回のスキップ操作完了時刻から次のスキップ操作開始時刻までの再生時間が計測され、次のスキップ操作が前方向への再生位置のスキップである場合、通常スキップ時間から、計測された再生時間を減算した時間がスキップ時間として決定され、次のスキップ操作が後方向への再生位置のスキップである場合、調整スキップ時間に、計測された再生時間を加算した時間がスキップ時間として決定される。したがって、利用者が、視聴したい部分までスキップされたかを確認するために要する再生時間を考慮してスキップ時間を決定することができる。
【０１６８】
図１３は、本発明の実施の形態４におけるＤＶＤプレーヤの動作について説明するための図である。なお、図１３において、実線の右矢印４０１ａ，４０１ｂ，４０１ｃ，４０１ｄ，４０１ｅ，４０１ｆ，４０１ｇ，４０１ｈ，４０１ｉは再生処理を示しており、破線の右矢印４０２ａ，４０２ｂ，４０２ｃは通常スキップ時間での前方向へのスキップ処理を示しており、破線の左矢印４０３ａ，４０３ｂ，４０３ｃ，４０３ｄ，４０３ｅは調整スキップ時間での後方向へのスキップ処理を示している。また、Ｔｆｓｎは、前方向への通常スキップ時間を示し、Ｔｂｓａは、後方向への調整スキップ時間を示し、ｔは、再生時間を示している。
【０１６９】
ＤＶＤディスクに記録された映像や音声が実線の右矢印４０１ａで示すように再生されている際、前方向スキップ操作部２１が操作されると、破線の右矢印４０２ａで示すように通常スキップ時間記憶部３３に記憶されている通常スキップ時間Ｔｆｓｎだけ前方向にスキップされる。そして、実線の右矢印４０１ｂで示すように再生されている際、前方向スキップ操作部２１が操作されると、破線の右矢印４０２ｂで示すように通常スキップ時間記憶部３３に記憶されている通常スキップ時間Ｔｆｓｎから再生時間ｔを減算した時間（Ｔｆｓｎ−ｔ）だけ前方向にスキップされる。さらに、実線の右矢印４０１ｃで示すように再生されている際、前方向スキップ操作部２１が操作されると、破線の右矢印４０２ｃで示すように通常スキップ時間記憶部３３に記憶されている通常スキップ時間Ｔｆｓｎから再生時間ｔを減算した時間（Ｔｆｓｎ−ｔ）だけ前方向にスキップされる。
【０１７０】
次に、実線の右矢印４０１ｄで示すように再生されているとき、利用者が現在の再生位置よりも後方向へ再生位置を移動させる場合、利用者は、視聴したい部分までスキップさせるために、後方向スキップ操作部２２を操作する。これにより調整スキップ時間記憶部３４に記憶されている調整スキップ時間Ｔｂｓａに再生時間ｔを加算した時間（Ｔｂｓａ＋ｔ）だけ、破線の左矢印４０３ａで示すようにスキップされ、実線の右矢印４０１ｅで示すように再生が再開される。
【０１７１】
このとき、利用者は、まだ視聴したくない部分であることに気が付き、視聴したい部分までスキップさせるために、後方向スキップ操作部２２を操作する。これにより調整スキップ時間記憶部３４に記憶されている調整スキップ時間Ｔｂｓａに再生時間ｔを加算した時間（Ｔｂｓａ＋ｔ）だけ、破線の左矢印４０３ｂで示すようにスキップされ、実線の右矢印４０１ｆで示すように再生が再開される。
【０１７２】
このときの再生位置が利用者の視聴したい再生位置でない場合、利用者が視聴したい再生位置よりも後方向になるように、後方向スキップ操作部２２が繰り返し操作される。これにより調整スキップ時間記憶部３４に記憶されている調整スキップ時間Ｔｂｓａに再生時間ｔを加算した時間（Ｔｂｓａ＋ｔ）だけ、破線の左矢印４０３ｃ，４０３ｄ，４０３ｅで示すようにスキップされ、実線の右矢印４０１ｉで示すように再生が再開される。
【０１７３】
図１４は、本発明の実施の形態４におけるＤＶＤプレーヤの具体的な動作について説明するための図であり、図１４（ａ）は、ＤＶＤドライブ５０にセットされたＤＶＤディスクに記録されたテレビ番組を示す図であり、図１４（ｂ）は、再生及びスキップの様子を表す図である。図１４（ａ）において、帯５１０は、ＤＶＤディスクに記録されたテレビ番組を示しており、白い帯５０１，５０５はテレビ番組本編を示しており、斜線の帯５０２，５０３，５０４はコマーシャル（ＣＭ）を示している。各コマーシャルは１５秒である。
【０１７４】
図１４（ｂ）において、実線の右矢印５０４ａ，５０４ｂ，５０４ｃ，５０４ｄ，５０４ｅは再生処理を示しており、破線の右矢印５０５ａ，５０５ｂ，５０５ｃは前方向へのスキップ処理を示しており、破線の左矢印５０６は後方向へのスキップ処理を示している。
【０１７５】
ここで、利用者が視聴したい部分がテレビ番組本編であり、視聴したくない部分がコマーシャルであるとし、ＤＶＤディスクに記録されたテレビ番組５１０のうちコマーシャル５０２，５０３，５０４をスキップさせるための操作を例に、本発明の実施の形態４におけるＤＶＤプレーヤの動作について説明する。なお、図１４（ｂ）において、前方向への通常スキップ時間Ｔｆｓｎを１５秒とし、後方向への調整スキップ時間Ｔｂｓａを５秒とする。
【０１７６】
ＤＶＤディスクに記録されたテレビ番組本編５０１が実線の右矢印５０４ａで示すように再生されている際、コマーシャル５０２の先頭から２秒経過したタイミングＴ５０１で示す位置で利用者は、コマーシャル５０２に入ったことに気が付き、テレビ番組本編５０５までスキップさせるために、前方向スキップ操作部２１を操作する。これにより通常スキップ時間記憶部３３に記憶されている前方向への通常スキップ時間Ｔｆｓｎだけ、破線の右矢印５０５ａで示すようにスキップされ、タイミングＴ５０２で示す位置から実線の右矢印５０４ｂで示すように再生が再開される。このとき、タイミングＴ５０１からタイミングＴ５０２までの時間は１５秒である。
【０１７７】
次に、タイミングＴ５０２から２秒経過したタイミングＴ５０３で示す位置で利用者は、まだコマーシャル５０３であることに気が付き、テレビ番組本編５０５までスキップさせるために、前方向スキップ操作部２１をさらに操作する。これにより前方向への通常スキップ時間記憶部３３に記憶されている前方向への通常スキップ時間Ｔｆｓｎから再生時間ｔを減算した時間だけ、破線の右矢印５０５ｂで示すようにスキップされ、タイミングＴ５０４で示す位置から実線の右矢印５０４ｃで示すように再生が再開される。このとき、タイミングＴ５０２からタイミングＴ５０４までの時間は１５秒である。
【０１７８】
次に、タイミングＴ５０４から２秒経過したタイミングＴ５０５で示す位置で利用者は、まだコマーシャル５０４であることに気が付き、テレビ番組本編５０５までスキップさせるために、前方向スキップ操作部２１をさらに操作する。これにより通常スキップ時間記憶部３３に記憶されている前方向への通常スキップ時間Ｔｆｓｎから再生時間ｔを減算した時間だけ、破線の右矢印５０５ｃで示すようにスキップされ、タイミングＴ５０６で示す位置から実線の右矢印５０４ｄで示すように再生が再開される。このとき、タイミングＴ５０４からタイミングＴ５０６までの時間は１５秒である。
【０１７９】
次に、タイミングＴ５０６から２秒経過したタイミングＴ５０７で示す位置で利用者は、テレビ番組本編５０５までスキップされたことに気が付き、タイミングＴ５０９で示されるテレビ番組本編５０５の先頭から視聴するために、後方向スキップ操作部２２を操作する。これにより調整スキップ時間記憶部３４に記憶されている後方向への調整スキップ時間Ｔｂｓａに再生時間ｔを加算した時間だけ、破線の左矢印５０６で示すようにスキップされ、タイミングＴ５０８で示す位置から実線の右矢印５０４ｅで示すように再生が再開される。このとき、タイミングＴ５０７からタイミングＴ５０８までの時間は７秒である。利用者は、再生状態のままタイミングＴ５０８からタイミングＴ５０９で示されるテレビ番組本編５０５の先頭までの期間Ｔｗ６（３秒）だけ再生されるのを待ち、テレビ番組本編５０５の視聴を行う。
【０１８０】
なお、本実施の形態では、再生時間ｔが通常スキップ時間Ｔｆｓｎ（又は調整スキップ時間）以内であれば、通常スキップ時間Ｔｆｓｎ（又は調整スキップ時間）から再生時間ｔを減算した時間だけ前方向にスキップするとしているが、本発明は特にこれに限定されず、スキップ時間決定部１１は、再生時間ｔが予め設定されている所定時間以内であるか否かを判断し、所定時間以内である場合、通常スキップ時間Ｔｆｓｎ（又は調整スキップ時間）から再生時間ｔを減算した時間をスキップ時間に決定し、所定時間以内でない場合、通常スキップ時間Ｔｆｓｎ（又は調整スキップ時間）をスキップ時間に決定してもよい。
【０１８１】
また、本実施の形態におけるスキップ時間決定部１１は、次のスキップ操作が前方向への再生位置のスキップである場合、通常スキップ時間から、計測された再生時間を減算した時間をスキップ時間として決定し、次のスキップ操作が後方向への再生位置のスキップである場合、調整スキップ時間に、計測された再生時間を加算した時間をスキップ時間として決定するが、本発明は特にこれに限定されない。スキップ時間決定部１１は、次のスキップ操作が前方向への再生位置のスキップである場合、通常スキップ時間から、計測された再生時間を減算した時間をスキップ時間として決定し、次のスキップ操作が後方向への再生位置のスキップである場合、調整スキップ時間をスキップ時間として決定してもよい。
【０１８２】
さらに、スキップ時間決定部１１は、次のスキップ操作が前方向への再生位置のスキップである場合、通常スキップ時間をスキップ時間として決定し、次のスキップ操作が後方向への再生位置のスキップである場合、調整スキップ時間に、計測された再生時間を加算した時間をスキップ時間として決定してもよい。
【０１８３】
なお、上述した具体的実施形態には以下の構成を有する発明が主に含まれている。
【０１８４】
本発明に係る再生装置は、記録媒体に記録されている情報を読み出し、読み出した情報を再生する再生手段と、前方向への再生位置のスキップ及び後方向への再生位置のスキップのうちいずれかの指示を任意に受け付けるスキップ操作受付手段と、前方向への再生位置のスキップ及び後方向への再生位置のスキップのうちの一方の方向のスキップ時間を他方の方向のスキップ時間よりも長くし、前記スキップ操作受付手段によって受け付けられた前方向への再生位置のスキップの指示及び後方向への再生位置のスキップの指示のうちいずれかに基づいてスキップ時間を決定するスキップ時間決定手段と、前記再生手段における再生中に、前記スキップ操作受付手段によって前方向への再生位置のスキップ及び後方向への再生位置のスキップのうちいずれかの指示が受け付けられた場合、前記再生手段における再生を停止し、前記スキップ時間決定手段によって決定されたスキップ時間だけ、前記再生手段による記録媒体からの情報の読み出し位置を移動させ、読み出し位置の移動終了後に再生を再開させる制御手段とを備える。
【０１８５】
本発明に係る再生方法は、記録媒体に記録されている情報を読み出し、読み出した情報を再生する再生ステップと、前方向への再生位置のスキップ及び後方向へのスキップのうちいずれかの指示を任意に受け付けるスキップ操作受付ステップと、前方向への再生位置のスキップ及び後方向への再生位置のスキップのうちの一方の方向のスキップ時間を他方の方向のスキップ時間よりも長くし、前記スキップ操作受付ステップにおいて受け付けられた前方向への再生位置のスキップの指示及び後方向への再生位置のスキップの指示のうちいずれかに基づいてスキップ時間を決定するスキップ時間決定ステップと、再生中に、前方向への再生位置のスキップ及び後方向への再生位置のスキップのうちいずれかの指示が受け付けられた場合、再生を停止し、前記スキップ時間決定ステップにおいて決定されたスキップ時間だけ、前記記録媒体からの情報の読み出し位置を移動させ、読み出し位置の移動終了後に再生を再開させる制御ステップとを含む。
【０１８６】
本発明に係る再生プログラムは、記録媒体に記録されている情報を読み出し、読み出した情報を再生する再生手段と、前方向への再生位置のスキップ及び後方向への再生位置のスキップのうちいずれかの指示を任意に受け付けるスキップ操作受付手段と、前方向への再生位置のスキップ及び後方向への再生位置のスキップのうちの一方の方向のスキップ時間を他方の方向のスキップ時間よりも長くし、前記スキップ操作受付手段によって受け付けられた前方向への再生位置のスキップの指示及び後方向への再生位置のスキップの指示のうちいずれかに基づいてスキップ時間を決定するスキップ時間決定手段と、前記再生手段における再生中に、前記スキップ操作受付手段によって前方向への再生位置のスキップ及び後方向への再生位置のスキップのうちいずれかの指示が受け付けられた場合、前記再生手段における再生を停止し、前記スキップ時間決定手段によって決定されたスキップ時間だけ、前記再生手段による記録媒体からの情報の読み出し位置を移動させ、読み出し位置の移動終了後に再生を再開させる制御手段としてコンピュータを機能させる。
【０１８７】
本発明に係る再生プログラムを記録したコンピュータ読み取り可能な記録媒体は、記録媒体に記録されている情報を読み出し、読み出した情報を再生する再生手段と、前方向への再生位置のスキップ及び後方向への再生位置のスキップのうちいずれかの指示を任意に受け付けるスキップ操作受付手段と、前方向への再生位置のスキップ及び後方向への再生位置のスキップのうちの一方の方向のスキップ時間を他方の方向のスキップ時間よりも長くし、前記スキップ操作受付手段によって受け付けられた前方向への再生位置のスキップの指示及び後方向への再生位置のスキップの指示のうちいずれかに基づいてスキップ時間を決定するスキップ時間決定手段と、前記再生手段における再生中に、前記スキップ操作受付手段によって前方向への再生位置のスキップ及び後方向への再生位置のスキップのうちいずれかの指示が受け付けられた場合、前記再生手段における再生を停止し、前記スキップ時間決定手段によって決定されたスキップ時間だけ、前記再生手段による記録媒体からの情報の読み出し位置を移動させ、読み出し位置の移動終了後に再生を再開させる制御手段としてコンピュータを機能させる再生プログラムを記録したものである。
【０１８８】
この構成によれば、記録媒体に記録されている情報が読み出され、読み出された情報が再生される。そして、前方向への再生位置のスキップ及び後方向への再生位置のスキップのうちいずれかの指示が任意に受け付けられる。前方向への再生位置のスキップ及び後方向への再生位置のスキップのうちの一方の方向のスキップ時間を他方の方向のスキップ時間よりも長くし、受け付けられた前方向への再生位置のスキップの指示及び後方向への再生位置のスキップの指示のうちいずれかに基づいてスキップ時間が決定される。再生中に、前方向への再生位置のスキップ及び後方向への再生位置のスキップのうちいずれかの指示が受け付けられた場合、再生を停止し、決定されたスキップ時間だけ、記録媒体からの情報の読み出し位置を移動させ、読み出し位置の移動終了後に再生を再開させる。
【０１８９】
このように、受け付けられたスキップが前方向であるか後方向であるかに基づいてスキップ時間が決定され、前方向への再生位置のスキップ及び後方向への再生位置のスキップのうちの一方の方向のスキップ時間が他方の方向のスキップ時間よりも長くされる。したがって、前方向のスキップ時間を後方向のスキップ時間よりも長くし、利用者が視聴したくない部分をスキップするために前方向へのスキップを繰り返し指示した後に、視聴したい部分の先頭から視聴するために、後方向へのスキップを行う場合、後方向へのスキップ時間が前方向へのスキップ時間よりも短いスキップ時間に決定され、利用者が視聴したい部分の先頭が再生されるまで待つ時間を短縮することができる。
【０１９０】
また、上記の再生装置において、前記制御手段は、前記再生手段における一時停止中に、前記スキップ操作受付手段によって前方向への再生位置のスキップ及び後方向への再生位置のスキップのうちいずれかの指示が受け付けられた場合、前記スキップ時間決定手段によって決定されたスキップ時間だけ、前記再生手段による記録媒体からの情報の読み出し位置を移動させ、移動後の読み出し位置の最初の情報のみを再生させることが好ましい。
【０１９１】
この構成によれば、一時停止中に、前方向への再生位置のスキップ及び後方向への再生位置のスキップのうちいずれかの指示が受け付けられた場合、決定されたスキップ時間だけ、記録媒体からの情報の読み出し位置を移動させ、移動後の読み出し位置の最初の情報のみを再生させる。したがって、利用者は、一時停止中に表示される映像を確認しながら再生位置をスキップする操作を行うことができ、スキップ操作後の再生位置の確認のために要する再生時間を不要とすることができる。
【０１９２】
また、上記の再生装置において、前記前方向への再生位置のスキップ時間を予め記憶する前方向スキップ時間記憶手段と、前記後方向への再生位置のスキップ時間を予め記憶する後方向スキップ時間記憶手段とをさらに備え、前記スキップ時間決定手段は、前記スキップ操作受付手段によって前記前方向へのスキップの指示が受け付けられた場合、前記前方向スキップ時間記憶手段に記憶されている前記前方向への再生位置のスキップ時間を選択し、前記後方向への再生位置のスキップの指示が受け付けられた場合、前記後方向スキップ時間記憶手段に記憶されている前記後方向への再生位置のスキップ時間を選択することが好ましい。
【０１９３】
この構成によれば、前方向への再生位置のスキップ時間が予め記憶されているとともに、後方向への再生位置のスキップ時間が予め記憶されている。そして、前方向へのスキップの指示が受け付けられた場合、予め記憶されている前方向への再生位置のスキップ時間が選択され、後方向への再生位置のスキップの指示が受け付けられた場合、予め記憶されている後方向への再生位置のスキップ時間が選択される。したがって、予め記憶されているスキップ時間が選択されるので、前方向及び後方向への再生位置のスキップ操作に対応するスキップ時間を容易に決定することができる。
【０１９４】
また、上記の再生装置において、前記前方向スキップ時間記憶手段は、前記後方向スキップ時間記憶手段に予め記憶されている後方向への再生位置のスキップ時間より大きな値となる前方向への再生位置のスキップ時間を予め記憶することが好ましい。
【０１９５】
この構成によれば、後方向への再生位置のスキップ時間より大きな値となる前方向への再生位置のスキップ時間が予め記憶されているので、利用者が視聴したくない部分をスキップするために前方向へのスキップを繰り返し指示した後に、視聴したい部分の先頭から視聴するために、後方向へのスキップを行う場合、後方向へのスキップ時間が前方向へのスキップ時間よりも短いスキップ時間に決定され、利用者が視聴したい部分の先頭が再生されるまで待つ時間を短縮することができる。
【０１９６】
また、上記の再生装置において、前記後方向スキップ時間記憶手段は、前記前方向スキップ時間記憶手段に予め記憶されている前方向への再生位置のスキップ時間より大きな値となる後方向への再生位置のスキップ時間を予め記憶することが好ましい。
【０１９７】
この構成によれば、前方向への再生位置のスキップ時間より大きな値となる後方向への再生位置のスキップ時間が予め記憶されているので、利用者が視聴したくない部分をスキップするために後方向へのスキップを繰り返し指示した後に、視聴したい部分の先頭から視聴するために、前方向へのスキップを行う場合、前方向へのスキップ時間が後方向へのスキップ時間よりも短いスキップ時間に決定され、利用者が視聴したい部分の先頭を通り過ぎて再生されることが無く、利用者が視聴したい部分の先頭の頭出しを容易に行うことができる。
【０１９８】
また、上記の再生装置において、前記前方向への再生位置のスキップが最後に指示されてからの経過時間を計測する前方向スキップ操作経過時間計測手段と、前記スキップ操作受付手段によって後方向への再生位置のスキップの指示が受け付けられた場合、前記前方向スキップ操作経過時間計測手段によって計測された経過時間が予め定められている所定時間を経過しているか否かを判断する後方向スキップ判断手段とをさらに備え、前記スキップ時間決定手段は、前記後方向スキップ判断手段によって所定時間を経過していると判断された場合、所定の第１のスキップ時間に決定し、前記後方向スキップ判断手段によって所定時間を経過していないと判断された場合、前記第１のスキップ時間よりも短い第２のスキップ時間に決定することが好ましい。
【０１９９】
この構成によれば、前方向への再生位置のスキップが最後に指示されてからの経過時間が計測される。そして、後方向への再生位置のスキップの指示が受け付けられた場合、前方向への再生位置のスキップが最後に指示されてからの経過時間が予め定められている所定時間を経過しているか否かが判断される。経過時間が所定時間を経過していると判断された場合、所定の第１のスキップ時間に決定し、所定時間を経過していないと判断された場合、第１のスキップ時間よりも短い第２のスキップ時間に決定される。
【０２００】
したがって、前方向へのスキップが指示されてから所定時間内に後方向へのスキップが指示されたときは、所定時間以上経過してから後方向へのスキップが指示されたときよりも短い第２のスキップ時間が決定されるので、利用者が、前方向のスキップにより視聴したくない部分をスキップした後、視聴したい部分の先頭から視聴するため後方向へスキップする場合、短いスキップ時間だけスキップされることになり、先頭が再生されるまでの待ち時間を少なくすることができる。
【０２０１】
また、上記の再生装置において、所定の第１のスキップ時間を予め記憶する第１のスキップ時間記憶手段と、前記第１のスキップ時間よりも短い第２のスキップ時間を予め記憶する第２のスキップ時間記憶手段とをさらに備え、前記スキップ時間決定手段は、前記スキップ操作受付手段によって前記後方向への再生位置のスキップの指示が受け付けられ、前記前方向スキップ操作経過時間計測手段によって計測された前方向スキップ操作経過時間が、予め決められた所定時間を経過していた場合、後方向への再生位置のスキップ時間として前記第１のスキップ時間記憶手段に予め記憶されている第１のスキップ時間を選択し、前記スキップ操作受付手段によって前記後方向への再生位置のスキップの指示が受け付けられ、前記前方向スキップ操作経過時間計測手段によって計測された前方向スキップ操作経過時間が、予め決められた所定時間を経過していない場合、後方向への再生位置のスキップ時間として前記第２のスキップ時間記憶手段に予め記憶されている第２のスキップ時間を選択することが好ましい。
【０２０２】
この構成によれば、所定の第１のスキップ時間が予め記憶されているとともに、第１のスキップ時間よりも短い第２のスキップ時間が予め記憶されている。そして、後方向への再生位置のスキップの指示が受け付けられ、計測された前方向スキップ操作経過時間が、予め決められた所定時間を経過していた場合、後方向への再生位置のスキップ時間として、予め記憶されている第１のスキップ時間が選択される。また、後方向への再生位置のスキップの指示が受け付けられ、計測された前方向スキップ操作経過時間が、予め決められた所定時間を経過していない場合、後方向への再生位置のスキップ時間として、予め記憶されている第２のスキップ時間が選択される。
【０２０３】
したがって、前方向へのスキップが指示されてから所定時間内に後方向のスキップが指示されたときは、所定時間以上経過してから後方向のスキップが指示されたときよりも短い第２のスキップ時間が決定されるので、利用者が、前方向のスキップにより視聴したくない部分をスキップした後、視聴したい部分の先頭から視聴するため後方向へスキップする場合、短いスキップ時間だけスキップされることになり、先頭が再生されるまでの待ち時間を少なくすることができる。
【０２０４】
また、上記の再生装置において、前記後方向への再生位置のスキップが最後に指示されてからの経過時間を計測する後方向スキップ操作経過時間計測手段と、前記スキップ操作受付手段によって前方向への再生位置のスキップの指示が受け付けられた場合、前記後方向スキップ操作経過時間計測手段によって計測された経過時間が予め定められている所定時間を経過しているか否かを判断する前方向スキップ判断手段とをさらに備え、前記スキップ時間決定手段は、前記前方向スキップ判断手段によって所定時間を経過していると判断された場合、所定の第１のスキップ時間に決定し、前記前方向スキップ判断手段によって所定時間を経過していないと判断された場合、前記第１のスキップ時間よりも短い第２のスキップ時間に決定することが好ましい。
【０２０５】
この構成によれば、後方向への再生位置のスキップが最後に指示されてからの経過時間が計測される。そして、前方向への再生位置のスキップの指示が受け付けられた場合、後方向への再生位置のスキップが最後に指示されてからの経過時間が予め定められている所定時間を経過しているか否かが判断される。経過時間が所定時間を経過していると判断された場合、所定の第１のスキップ時間に決定し、所定時間を経過していないと判断された場合、第１のスキップ時間よりも短い第２のスキップ時間に決定される。
【０２０６】
したがって、後方向へのスキップが指示されてから所定時間内に前方向へのスキップが指示されたときは、所定時間以上経過してから前方向へのスキップが指示されたときよりも短い第２のスキップ時間が決定されるので、利用者が、後方向のスキップにより視聴したい部分の前の位置まで戻った後、視聴したい部分の先頭から視聴するため前方向へスキップする場合、短いスキップ時間だけスキップされることになり、先頭が再生されるまでの待ち時間を少なくすることができる。
【０２０７】
また、上記の再生装置において、所定の第１のスキップ時間を予め記憶する第１のスキップ時間記憶手段と、前記第１のスキップ時間よりも短い第２のスキップ時間を予め記憶する第２のスキップ時間記憶手段とをさらに備え、前記スキップ時間決定手段は、前記スキップ操作受付手段によって前記前方向への再生位置のスキップの指示が受け付けられ、前記後方向スキップ操作経過時間計測手段によって計測された後方向スキップ操作経過時間が、予め決められた所定時間を経過していた場合、前方向への再生位置のスキップ時間として前記第１のスキップ時間記憶手段に予め記憶されている第１のスキップ時間を選択し、前記スキップ操作受付手段によって前記前方向への再生位置のスキップの指示が受け付けられ、前記後方向スキップ操作経過時間計測手段によって計測された後方向スキップ操作経過時間が、予め決められた所定時間を経過していない場合、前方向への再生位置のスキップ時間として前記第２のスキップ時間記憶手段に予め記憶されている第２のスキップ時間を選択することが好ましい。
【０２０８】
この構成によれば、所定の第１のスキップ時間が予め記憶されているとともに、第１のスキップ時間よりも短い第２のスキップ時間が予め記憶されている。そして、前方向への再生位置のスキップの指示が受け付けられ、計測された後方向スキップ操作経過時間が、予め決められた所定時間を経過していた場合、前方向への再生位置のスキップ時間として、予め記憶されている第１のスキップ時間が選択される。また、前方向への再生位置のスキップの指示が受け付けられ、計測された後方向スキップ操作経過時間が、予め決められた所定時間を経過していない場合、前方向への再生位置のスキップ時間として、予め記憶されている第２のスキップ時間が選択される。
【０２０９】
したがって、後方向へのスキップが指示されてから所定時間内に前方向のスキップが指示されたときは、所定時間以上経過してから前方向のスキップが指示されたときよりも短い第２のスキップ時間が決定されるので、利用者が、後方向のスキップにより視聴したい部分の前の位置まで戻った後、視聴したい部分の先頭から視聴するため前方向へスキップする場合、短いスキップ時間だけスキップされることになり、先頭が再生されるまでの待ち時間を少なくすることができる。
【０２１０】
また、上記の再生装置において、前記前方向への再生位置のスキップが最後に指示されてからの経過時間を計測する前方向スキップ操作経過時間計測手段と、前記後方向への再生位置のスキップが最後に指示されてからの経過時間を計測する後方向スキップ操作経過時間計測手段と、前記スキップ操作受付手段によって前方向への再生位置のスキップの指示が受け付けられた場合、後方向スキップ操作経過時間計測手段によって計測された経過時間が予め定められている所定時間を経過しているか否かを判断し、前記スキップ操作受付手段によって後方向への再生位置のスキップの指示が受け付けられた場合、前方向スキップ操作経過時間計測手段によって計測された経過時間が予め定められている所定時間を経過しているか否かを判断する判断手段とをさらに備え、前記スキップ時間決定手段は、前記判断手段によって所定時間を経過していると判断された場合、所定の第１のスキップ時間に決定し、前記判断手段によって所定時間を経過していないと判断された場合、前記第１のスキップ時間よりも短い第２のスキップ時間に決定することが好ましい。
【０２１１】
この構成によれば、前方向への再生位置のスキップが最後に指示されてからの経過時間が計測されるとともに、後方向への再生位置のスキップが最後に指示されてからの経過時間が計測される。そして、前方向への再生位置のスキップの指示が受け付けられた場合、後方向への再生位置のスキップが最後に指示されてからの経過時間が予め定められている所定時間を経過しているか否かが判断され、後方向への再生位置のスキップの指示が受け付けられた場合、前方向への再生位置のスキップが最後に指示されてからの経過時間が予め定められている所定時間を経過しているか否かが判断される。経過時間が所定時間を経過していると判断された場合、所定の第１のスキップ時間に決定し、所定時間を経過していないと判断された場合、第１のスキップ時間よりも短い第２のスキップ時間に決定される。
【０２１２】
したがって、前方向又は後方向へのスキップが指示されてから所定時間内に前回と反対方向のスキップが指示されたときは、所定時間以上経過してから前回と反対方向のスキップが指示されたときよりも短い第２のスキップ時間が決定されるので、利用者が、前方向のスキップにより視聴したくない部分をスキップした後、視聴したい部分の先頭から視聴するため後方向へスキップする場合、または、後方向のスキップにより視聴したい部分の前の位置まで戻った後、視聴したい部分の先頭から視聴するため前方向へスキップする場合、短いスキップ時間だけスキップされることになり、先頭が再生されるまでの待ち時間を少なくすることができる。
【０２１３】
また、上記の再生装置において、所定の第１のスキップ時間を予め記憶する第１のスキップ時間記憶手段と、前記第１のスキップ時間よりも短い第２のスキップ時間を予め記憶する第２のスキップ時間記憶手段とをさらに備え、前記スキップ時間決定手段は、前記スキップ操作受付手段によって前記前方向への再生位置のスキップの指示が受け付けられ、前記後方向スキップ操作経過時間計測手段によって計測された後方向スキップ操作経過時間が、予め決められた所定時間を経過していた場合、前方向への再生位置のスキップ時間として前記第１のスキップ時間記憶手段に予め記憶されている第１のスキップ時間を選択し、前記スキップ操作受付手段によって前記前方向への再生位置のスキップの指示が受け付けられ、前記後方向スキップ操作経過時間計測手段によって計測された後方向スキップ操作経過時間が、予め決められた所定時間を経過していない場合、前方向への再生位置のスキップ時間として前記第２のスキップ時間記憶手段に予め記憶されている第２のスキップ時間を選択し、前記スキップ操作受付手段によって前記後方向への再生位置のスキップの指示が受け付けられ、前記前方向スキップ操作経過時間計測手段によって計測された前方向スキップ操作経過時間が、予め決められた所定時間を経過していた場合、後方向への再生位置のスキップ時間として前記第１のスキップ時間記憶手段に予め記憶されている第１のスキップ時間を選択し、前記スキップ操作受付手段によって前記後方向への再生位置のスキップの指示が受け付けられ、前記前方向スキップ操作経過時間計測手段によって計測された前方向スキップ操作経過時間が、予め決められた所定時間を経過していない場合、後方向への再生位置のスキップ時間として前記第２のスキップ時間記憶手段に予め記憶されている第２のスキップ時間を選択することが好ましい。
【０２１４】
この構成によれば、所定の第１のスキップ時間が予め記憶されているとともに、第１のスキップ時間よりも短い第２のスキップ時間が予め記憶されている。そして、前方向への再生位置のスキップの指示が受け付けられ、計測された後方向スキップ操作経過時間が、予め決められた所定時間を経過していた場合、前方向への再生位置のスキップ時間として、予め記憶されている第１のスキップ時間が選択される。また、前方向への再生位置のスキップの指示が受け付けられ、計測された後方向スキップ操作経過時間が、予め決められた所定時間を経過していない場合、前方向への再生位置のスキップ時間として、予め記憶されている第２のスキップ時間が選択される。さらに、後方向への再生位置のスキップの指示が受け付けられ、計測された前方向スキップ操作経過時間が、予め決められた所定時間を経過していた場合、後方向への再生位置のスキップ時間として、予め記憶されている第１のスキップ時間が選択される。さらにまた、後方向への再生位置のスキップの指示が受け付けられ、計測された前方向スキップ操作経過時間が、予め決められた所定時間を経過していない場合、後方向への再生位置のスキップ時間として、予め記憶されている第２のスキップ時間が選択される。
【０２１５】
したがって、前方向へのスキップが指示されてから所定時間内に後方向のスキップが指示されたときは、所定時間以上経過してから後方向のスキップが指示されたときよりも短い第２のスキップ時間が決定されるので、利用者が、前方向のスキップにより視聴したくない部分をスキップした後、視聴したい部分の先頭から視聴するため後方向へスキップする場合、短いスキップ時間だけスキップされることになり、先頭が再生されるまでの待ち時間を少なくすることができる。また、後方向へのスキップが指示されてから所定時間内に前方向のスキップが指示されたときは、所定時間以上経過してから前方向のスキップが指示されたときよりも短い第２のスキップ時間が決定されるので、利用者が、後方向のスキップにより視聴したい部分の前の位置まで戻った後、視聴したい部分の先頭から視聴するため前方向へスキップする場合、短いスキップ時間だけスキップされることになり、先頭が再生されるまでの待ち時間を少なくすることができる。
【０２１６】
また、上記の再生装置において、前記スキップ操作受付手段によって最後に受け付けられたスキップ方向を記憶するスキップ方向記憶手段と、前記スキップ時間決定手段によって第２のスキップ時間が連続して決定された回数を記憶するスキップ回数記憶手段とをさらに備え、前記スキップ時間決定手段は、前記判断手段によって所定時間を経過していないと判断され、かつ前記スキップ操作受付手段によって受け付けられた指示が前記スキップ方向記憶手段に記憶されているスキップ方向と反対方向である場合、前記第２のスキップ時間に決定し、前記判断手段によって所定時間を経過していないと判断され、かつ前記スキップ操作受付手段によって受け付けられた指示が前記スキップ方向記憶手段に記憶されているスキップ方向と同一方向であり、かつ前記スキップ回数記憶手段に記憶されている第２のスキップ時間の連続して決定された回数が所定の回数に達していない場合、前記第２のスキップ時間に決定し、前記判断手段によって所定時間を経過していると判断された場合、前記第１のスキップ時間に決定し、前記判断手段によって所定時間を経過していないと判断され、かつ前記スキップ操作受付手段によって受け付けられた指示が前記スキップ方向記憶手段に記憶されているスキップ方向と同一方向であり、かつ前記スキップ回数記憶手段に記憶されている第２のスキップ時間の連続して決定された回数が所定の回数に達した場合、前記第１のスキップ時間に決定することが好ましい。
【０２１７】
この構成によれば、最後に受け付けられたスキップ方向が記憶され、第２のスキップ時間が連続して決定された回数が記憶される。そして、今回受け付けられたスキップ方向とは反対の方向へのスキップが最後に指示されてからの経過時間が所定時間を経過していないと判断され、かつ受け付けられた指示が、記憶されているスキップ方向と反対方向である場合、第２のスキップ時間が選択される。また、今回受け付けられたスキップ方向とは反対の方向へのスキップが最後に指示されてからの経過時間が所定時間を経過していないと判断され、かつ受け付けられた指示が、記憶されているスキップ方向と同一方向であり、かつ記憶されている第２のスキップ時間の連続して決定された回数が所定の回数に達していない場合、第２のスキップ時間が選択される。さらに、今回受け付けられたスキップ方向とは反対の方向へのスキップが最後に指示されてからの経過時間が所定時間を経過していると判断された場合、第１のスキップ時間に決定される。さらにまた、今回受け付けられたスキップ方向とは反対の方向へのスキップが最後に指示されてからの経過時間が所定時間を経過していないと判断され、かつ受け付けられた指示が、記憶されているスキップ方向と同一方向であり、かつ記憶されている第２のスキップ時間の連続して決定された回数が所定の回数に達した場合、第１のスキップ時間が選択される。
【０２１８】
したがって、前方向又は後方向へのスキップが指示されてから所定時間内に前回と反対方向のスキップが指示されたときは、所定時間以上経過してから前回と反対方向のスキップが指示されたときよりも短い第２のスキップ時間が決定され、同一方向へ所定の回数だけ連続して第２のスキップ時間でスキップ操作が行われた場合、第２のスキップ時間よりも長い第１のスキップ時間でスキップ操作が行われるので、視聴したい部分の先頭が、第２のスキップ時間で同一方向へ所定回数だけ連続してスキップ操作した時間よりも長い場合であっても、迅速に視聴したい部分の先頭へ再生位置を移動させることができる。
【０２１９】
また、上記の再生装置において、前回のスキップ操作完了時刻から次のスキップ操作開始時刻までの再生時間を計測する再生時間計測手段をさらに備え、前記スキップ時間決定手段は、次のスキップ操作が前方向への再生位置のスキップである場合、前記第１のスキップ時間及び前記第２のスキップ時間のいずれかのスキップ時間から前記再生時間計測手段によって計測された再生時間を減算した時間をスキップ時間として決定することが好ましい。
【０２２０】
この構成によれば、前回のスキップ操作完了時刻から次のスキップ操作開始時刻までの再生時間が計測され、次のスキップ操作が前方向への再生位置のスキップである場合、第１のスキップ時間及び第２のスキップ時間のいずれかのスキップ時間から、計測された再生時間を減算した時間がスキップ時間として決定される。したがって、利用者が、視聴したい部分までスキップされたかを確認するために要する再生時間を考慮してスキップ時間を決定することができる。
【０２２１】
また、上記の再生装置において、前回のスキップ操作完了時刻から次のスキップ操作開始時刻までの再生時間を計測する再生時間計測手段をさらに備え、前記スキップ時間決定手段は、次のスキップ操作が後方向への再生位置のスキップである場合、前記第１のスキップ時間及び前記第２のスキップ時間のいずれかのスキップ時間に前記再生時間計測手段によって計測された再生時間を加算した時間をスキップ時間として決定することが好ましい。
【０２２２】
この構成によれば、前回のスキップ操作完了時刻から次のスキップ操作開始時刻までの再生時間が計測され、次のスキップ操作が後方向への再生位置のスキップである場合、第１のスキップ時間及び第２のスキップ時間のいずれかのスキップ時間に、計測された再生時間を加算した時間がスキップ時間として決定される。したがって、利用者が、視聴したい部分までスキップされたかを確認するために要する再生時間を考慮してスキップ時間を決定することができる。
【産業上の利用可能性】
【０２２３】
本発明にかかる再生装置は、簡単な操作で迅速且つ精度よく目的とする再生位置までスキップさせるための機能を有し、ＤＶＤプレーヤなどの記録メディアから情報を読み出し、再生・表示することができる再生装置のスキップ方法として有用である。
【図面の簡単な説明】
【０２２４】
【図１】本発明の実施の形態１におけるＤＶＤプレーヤの構成の一例を示すブロック図である。
【図２】本発明の実施の形態１におけるＤＶＤプレーヤの詳細な構成を示すブロック図である。
【図３】本発明の実施の形態１におけるＤＶＤプレーヤのコントローラの処理内容を説明するためのフローチャートである。
【図４】本発明の実施の形態１におけるＤＶＤプレーヤの動作について説明するための図である。
【図５】視聴したくない部分の長さが図４よりも幾分短い場合の本発明の実施の形態１におけるＤＶＤプレーヤの動作について説明するための図である。
【図６】本発明の実施の形態２におけるＤＶＤプレーヤの詳細な構成を示すブロック図である。
【図７】図６で示す実施の形態２におけるＤＶＤプレーヤのコントローラの処理内容を説明するためのフローチャートである。
【図８】本発明の実施の形態３におけるＤＶＤプレーヤの詳細な構成を示すブロック図である。
【図９】図８で示す実施の形態３におけるＤＶＤプレーヤのコントローラの処理内容を説明するためのフローチャートである。
【図１０】本発明の実施の形態３におけるＤＶＤプレーヤの動作について説明するための図である。
【図１１】本発明の実施の形態４におけるＤＶＤプレーヤの構成を示すブロック図である。
【図１２】図１１で示す実施の形態４におけるＤＶＤプレーヤのコントローラの処理内容を説明するためのフローチャートである。
【図１３】本発明の実施の形態４におけるＤＶＤプレーヤの動作について説明するための図である。
【図１４】本発明の実施の形態４におけるＤＶＤプレーヤの具体的な動作について説明するための図である。
【図１５】従来の再生装置によるスキップ処理の動作について説明するための図である。
【図１】
0004348368.tif 000002
【図２】
0004348368.tif 000003
【図３】
0004348368.tif 000004
【図４】
0004348368.tif 000005
【図５】
0004348368.tif 000006
【図６】
0004348368.tif 000007
【図７】
0004348368.tif 000008
【図８】
0004348368.tif 000009
【図９】
0004348368.tif 000010
【図１０】
0004348368.tif 000011
【図１１】
0004348368.tif 000012
【図１２】
0004348368.tif 000013
【図１３】
0004348368.tif 000014
【図１４】
0004348368.tif 000015
【図１５】
0004348368.tif 000016